(57)【要約】【課題】貨幣収納部の空き容量を確保する。【解決手段】貨幣処理装置１０は、貨幣収納部２３ａと貨幣搬送部２８と包装貨幣生成部４０と包装貨幣収納部４１ａと包装貨幣払出部４４と包装貨幣搬送部４５と制御部６０とを備えている。制御部６０は、貨幣収納部２３ａに収納された貨幣が包装貨幣生成部４０に搬送されて包装貨幣生成部４０において貨幣を用いて包装貨幣が生成され、包装貨幣が包装貨幣払出部４４に搬送されて包装貨幣払出部４４から払い出されるダイレクト収集処理が行われるように、貨幣処理装置１０の動作を制御する。【選択図】図７
2018092253.tif 000002
【特許請求の範囲】
【請求項１】
貨幣を処理する貨幣処理装置であって、
前記貨幣を収納する貨幣収納部と、
前記貨幣を搬送する貨幣搬送部と、
所定枚数の貨幣により構成された包装貨幣を生成する包装貨幣生成部と、
前記包装貨幣を収納する包装貨幣収納部と、
前記包装貨幣を払い出す包装貨幣払出部と、
前記包装貨幣を搬送する包装貨幣搬送部と、
前記貨幣収納部に収納された貨幣が前記包装貨幣生成部に搬送されて該包装貨幣生成部において該貨幣を用いて前記包装貨幣が生成され、該包装貨幣が前記包装貨幣払出部に搬送されて該包装貨幣払出部から払い出されるダイレクト収集処理が行われるように前記貨幣処理装置の動作を制御する制御部とを備えている
ことを特徴とする貨幣処理装置。
【請求項２】
請求項１において、
前記制御部は、所定条件が成立する場合に、前記ダイレクト収集処理が行われるように前記貨幣処理装置の動作を制御する
ことを特徴とする貨幣処理装置。
【請求項３】
請求項２において、
前記制御部は、前記貨幣収納部における貨幣の収納量が予め定められた開始閾値を上回り、且つ、前記包装貨幣収納部における包装貨幣の収納量が予め定められた収納上限閾値を下回る場合に、該貨幣収納部に収納された貨幣が前記包装貨幣生成部に搬送されて該包装貨幣生成部において該貨幣を用いて前記包装貨幣が生成され、該包装貨幣が該包装貨幣収納部に搬送されて該包装貨幣収納部に収納される自動収集処理が行われるように前記貨幣処理装置の動作を制御する
ことを特徴とする貨幣処理装置。
【請求項４】
請求項３において、
前記制御部は、前記貨幣収納部における貨幣の収納量が前記開始閾値を上回り、且つ、前記包装貨幣収納部における包装貨幣の収納量が前記収納上限閾値に到達している場合に、前記ダイレクト収集処理が行われるように前記貨幣処理装置の動作を制御する
ことを特徴とする貨幣処理装置。
【請求項５】
請求項３において、
前記制御部は、前記貨幣収納部における貨幣の収納量が前記開始閾値を上回り、且つ、前記包装貨幣収納部における包装貨幣の収納量が前記収納上限閾値に到達しており、且つ、操作者による前記ダイレクト収集処理の実行指示がある場合に、該ダイレクト収集処理が行われるように前記貨幣処理装置の動作を制御する
ことを特徴とする貨幣処理装置。
【請求項６】
請求項５において、
前記制御部は、前記貨幣収納部における貨幣の収納量が前記開始閾値を上回り、且つ、前記包装貨幣収納部における包装貨幣の収納量が前記収納上限閾値に到達している場合に、前記ダイレクト収集処理の実行指示を前記操作者に促すための情報を出力する
ことを特徴とする貨幣処理装置。
【請求項７】
請求項３〜６のいずれか１項において、
前記開始閾値は、可変値である
ことを特徴とする貨幣処理装置。
【請求項８】
請求項２において、
前記制御部は、操作者によるダイレクト収集処理の実行指示がある場合に、前記ダイレクト収集処理が行われるように前記貨幣処理装置の動作を制御する
ことを特徴とする貨幣処理装置。
【請求項９】
請求項１〜８のいずれか１項において、
前記制御部は、前記ダイレクト収集処理において前記包装貨幣払出部から払い出された包装貨幣に関する情報を出力する
ことを特徴と貨幣処理装置。
【請求項１０】
請求項１〜９のいずれか１項において、
前記包装貨幣払出部は、予め定められた容器位置に配置された回収容器に前記包装貨幣を投出するように構成され、
前記制御部は、前記容器位置に前記回収容器が配置されている場合に前記ダイレクト収集処理の実行を許可し、該容器位置に該回収容器が配置されていない場合に該ダイレクト収集処理の実行を禁止する
ことを特徴とする貨幣処理装置。
【請求項１１】
請求項１〜１０のいずれか１項において、
前記制御部は、前記ダイレクト収集処理において前記貨幣収納部における貨幣の収納量が予め定められた終了閾値を下回ると、該ダイレクト収集処理が終了するように前記貨幣処理装置の動作を制御する
ことを特徴とする貨幣処理装置。
【請求項１２】
請求項１１において、
前記終了閾値は、可変値である
ことを特徴とする貨幣処理装置。
【請求項１３】
請求項１〜１２のいずれか１項に記載の貨幣処理装置と、
操作者による指示を受け付ける操作部とを備え、
前記貨幣処理装置は、前記操作部に与えられた前記操作者による指示に応答して動作するように構成されている
ことを特徴とする貨幣処理システム。
【発明の詳細な説明】
【技術分野】
【０００１】
ここに開示する技術は、貨幣処理技術に関する。
【背景技術】
【０００２】
従来、貨幣を処理する貨幣処理装置が知られている。例えば、特許文献１には、入金された貨幣を金種別に収納する貨幣収納部と、貨幣収納部から繰り出された貨幣を所定枚数ごとに結束・包装などの包装処理を行う貨幣包装手段と、貨幣包装手段で包装された包装貨幣を金種別に収納する包装貨幣収納部と、制御手段とを備えた貨幣処理装置が開示されている。特許文献１の貨幣処理装置では、制御手段は、貨幣収納部の貨幣量が所定量以上になった時または包装貨幣収納部の貨幣量が所定量以下になった時に、自動的に貨幣収納部から貨幣を繰り出して包装し、包装貨幣収納部へ収納させる自動収集処理を行わせる。
【先行技術文献】
【特許文献】
【０００３】
【特許文献１】特開２００６−２１５８１０号公報
【発明の概要】
【発明が解決しようとする課題】
【０００４】
特許文献１の貨幣処理装置では、自動収集処理を行うことによって貨幣収納部の貨幣量（貨幣の収納量）を減少させて貨幣収納部の空き容量を増加させることができる。これにより、次の入金処理を受け付けることが可能となる。しかしながら、特許文献１の貨幣処理装置では、自動収集処理において貨幣収納部に収納された貨幣を用いて生成された包装貨幣が包装貨幣収納部に収納されるので、包装貨幣収納部の空き容量が不足している場合には自動収集処理を行うことができない。そのため、貨幣収納部の空き容量を確保することが困難であった。
【０００５】
そこで、ここに開示する技術は、貨幣処理装置において包装貨幣収納部の空き容量に依存することなく貨幣収納部の空き容量を確保することを可能とすることを目的とする。
【課題を解決するための手段】
【０００６】
ここに開示する技術は、貨幣を処理する貨幣処理装置に関し、この貨幣処理装置は、前記貨幣を収納する貨幣収納部と、前記貨幣を搬送する貨幣搬送部と、所定枚数の貨幣により構成された包装貨幣を生成する包装貨幣生成部と、前記包装貨幣を収納する包装貨幣収納部と、前記包装貨幣を払い出す包装貨幣払出部と、前記包装貨幣を搬送する包装貨幣搬送部と、前記貨幣収納部に収納された貨幣が前記包装貨幣生成部に搬送されて該包装貨幣生成部において該貨幣を用いて前記包装貨幣が生成され、該包装貨幣が前記包装貨幣払出部に搬送されて該包装貨幣払出部から払い出されるダイレクト収集処理が行われるように前記貨幣処理装置の動作を制御する制御部とを備えている。
【０００７】
前記の構成では、ダイレクト収集処理を行うことにより、貨幣収納部における貨幣の収納量を減少させて貨幣収納部の空き容量を増加させることができる。これにより、包装貨幣収納部の空き容量に依存することなく貨幣収納部の空き容量を確保することができる。
【０００８】
前記制御部は、所定条件が成立する場合に、前記ダイレクト収集処理が行われるように前記貨幣処理装置の動作を制御するように構成されていてもよい。
【０００９】
前記の構成では、所定条件が成立する場合に、ダイレクト収集処理によって貨幣収納部の空き容量を増加させることができる。これにより、所定条件が成立する場合に、包装貨幣収納部の空き容量に依存することなく貨幣収納部の空き容量を確保することができる。
【００１０】
前記制御部は、前記貨幣収納部における貨幣の収納量が予め定められた開始閾値を上回り、且つ、前記包装貨幣収納部における包装貨幣の収納量が予め定められた収納上限閾値を下回る場合に、該貨幣収納部に収納された貨幣が前記包装貨幣生成部に搬送されて該包装貨幣生成部において該貨幣を用いて前記包装貨幣が生成され、該包装貨幣が該包装貨幣収納部に搬送されて該包装貨幣収納部に収納される自動収集処理が行われるように前記貨幣処理装置の動作を制御するように構成されていてもよい。
【００１１】
前記の構成では、自動収集処理を行うことにより、貨幣収納部における貨幣の収納量を減少させて貨幣収納部の空き容量を増加させることができる。これにより、貨幣収納部の空き容量を確保することができる。
【００１２】
前記制御部は、前記貨幣収納部における貨幣の収納量が前記開始閾値を上回り、且つ、前記包装貨幣収納部における包装貨幣の収納量が前記収納上限閾値に到達している場合に、前記ダイレクト収集処理が行われるように前記貨幣処理装置の動作を制御するように構成されていてもよい。
【００１３】
前記の構成では、包装貨幣収納部の空き容量が不足している場合に、ダイレクト収集処理によって貨幣収納部の空き容量を増加させることができる。なお、包装貨幣収納部の空き容量が不足していない場合には、自動収集処理によって貨幣収納部の空き容量を増加させることができる。このように、包装貨幣収納部の空き容量に応じてダイレクト収集処理と自動収集処理とを適切に行うことができる。
【００１４】
前記制御部は、前記貨幣収納部における貨幣の収納量が前記開始閾値を上回り、且つ、前記包装貨幣収納部における包装貨幣の収納量が前記収納上限閾値に到達しており、且つ、操作者による前記ダイレクト収集処理の実行指示がある場合に、該ダイレクト収集処理が行われるように前記貨幣処理装置の動作を制御するように構成されていてもよい。
【００１５】
前記の構成では、包装貨幣収納部の空き容量が不足しており且つ操作者によってダイレクト収集処理の実行が指示されている場合に、ダイレクト収集処理によって貨幣収納部の空き容量を増加させることができる。なお、包装貨幣収納部の空き容量が不足していない場合には、自動収集処理によって貨幣収納部の空き容量を増加させることができる。また、操作者によってダイレクト収集処理の実行が指示されていない場合には、ダイレクト収集処理は行われない。このように、包装貨幣収納部の空き容量と操作者による指示の有無とに応じてダイレクト収集処理と自動収集処理とを適切に行うことができる。
【００１６】
前記制御部は、前記貨幣収納部における貨幣の収納量が前記開始閾値を上回り、且つ、前記包装貨幣収納部における包装貨幣の収納量が前記収納上限閾値に到達している場合に、前記ダイレクト収集処理の実行指示を前記操作者に促すための情報を出力するように構成されていてもよい。
【００１７】
前記の構成では、ダイレクト収集処理の実行指示を操作者に促すための情報を出力することにより、ダイレクト収集処理を実行するか否かを操作者に判断させることができる。
【００１８】
前記開始閾値は、可変値であってもよい。
【００１９】
前記の構成では、ダイレクト収集処理および自動収集処理の実行開始タイミングを任意に設定することができる。
【００２０】
前記制御部は、操作者によるダイレクト収集処理の実行指示がある場合に、前記ダイレクト収集処理が行われるように前記貨幣処理装置の動作を制御するように構成されていてもよい。
【００２１】
前記の構成では、操作者によってダイレクト収集処理の実行が指示されている場合に、ダイレクト収集処理によって貨幣収納部の空き容量を増加させることができる。なお、操作者によってダイレクト収集処理の実行が指示されていない場合には、ダイレクト収集処理は行われない。このように、操作者による指示の有無に応じてダイレクト収集処理を適切に行うことができる。
【００２２】
前記制御部は、前記ダイレクト収集処理において前記包装貨幣払出部から払い出された包装貨幣に関する情報を出力するように構成されていてもよい。
【００２３】
前記の構成では、ダイレクト収集処理によって包装貨幣払出部から払い出された包装貨幣を確認させることができる。
【００２４】
前記包装貨幣払出部は、予め定められた容器位置に配置された回収容器に前記包装貨幣を投出するように構成されていてもよい。そして、前記制御部は、前記容器位置に前記回収容器が配置されている場合に前記ダイレクト収集処理の実行を許可し、該容器位置に該回収容器が配置されていない場合に該ダイレクト収集処理の実行を禁止するように構成されていてもよい。
【００２５】
前記の構成では、ダイレクト収集処理において包装貨幣払出部から投出された包装貨幣を回収容器に確実に回収することができる。
【００２６】
前記制御部は、前記ダイレクト収集処理において前記貨幣収納部における貨幣の収納量が予め定められた終了閾値を下回ると、該ダイレクト収集処理が終了するように前記貨幣処理装置の動作を制御するように構成されていてもよい。
【００２７】
前記の構成では、貨幣収納部における貨幣の収納量に応じてダイレクト収集処理を終了させることができる。
【００２８】
前記終了閾値は、可変値であってもよい。
【００２９】
前記の構成では、ダイレクト収集処理の実行終了タイミングを任意に設定することができる。
【００３０】
また、ここに開示する技術は、貨幣処理システムに関し、この貨幣処理システムは、前記貨幣処理装置と、操作者による指示を受け付ける操作部とを備えている。そして、前記貨幣処理装置は、前記操作部に与えられた前記操作者による指示に応答して動作するように構成されている。
【００３１】
前記の構成では、貨幣処理装置において包装貨幣収納部の空き容量に依存することなく貨幣収納部の空き容量を確保することができるので、貨幣収納部の空き容量の不足に起因する貨幣処理装置の休止の発生頻度を低減することができる。これにより、貨幣処理システムを円滑に動作させることができる。
【発明の効果】
【００３２】
以上のように、包装貨幣収納部の空き容量に依存することなく貨幣収納部の空き容量を確保することができる。
【図面の簡単な説明】
【００３３】
【図１】実施形態１による貨幣処理システムの外観を例示する斜視図である。
【図２】実施形態１による貨幣処理システムの構成を例示するブロック図である。
【図３】実施形態１の硬貨処理装置の内部構成を例示する正面図である。
【図４】実施形態１の硬貨処理装置の内部構成を例示する上面図である。
【図５】実施形態１の硬貨処理装置の内部構成を例示する左側面図である。
【図６】実施形態１の硬貨処理装置の内部構成を例示する右側面図である。
【図７】実施形態１の硬貨処理装置の構成を例示する概略図である。
【図８】実施形態１の硬貨処理装置の動作を例示するフローチャートである。
【図９】実施形態１の硬貨処理装置の動作を例示するフローチャートである。
【図１０】ダイレクト収集処理の実行指示を促すための画像を例示する図である。
【図１１】回収容器の準備を促すための画像を例示する図である。
【図１２】ダイレクト収集処理の実行中を示した画像を例示する図である。
【図１３】ダイレクト収集処理の結果を示した画像を例示する図である。
【図１４】硬貨処理装置の変形例１の構成を例示する概略図である。
【図１５】硬貨処理装置の変形例２の内部構成を例示する正面図である。
【図１６】硬貨処理装置の変形例２の内部構成を例示する上面図である。
【図１７】硬貨処理装置の変形例３の外観を例示する斜視図である。
【図１８】硬貨処理装置の変形例３の構成を例示する左側面図である。
【図１９】硬貨処理装置の変形例４の構成を例示する上面図である。
【図２０】硬貨処理装置の変形例４における包装部の動作を例示する概念図である。
【図２１】実施形態２による貨幣処理システムの構成を例示するブロック図である。
【図２２】実施形態２の紙幣処理装置の内部構成を例示する概略図である。
【発明を実施するための形態】
【００３４】
以下、実施の形態を図面を参照して詳しく説明する。なお、図中同一または相当部分には同一の符号を付しその説明は繰り返さない。
【００３５】
（実施形態１）
図１および図２は、実施形態１による貨幣処理システム１の外観および構成を例示している。この貨幣処理システム１は、硬貨処理装置１０と、操作表示部１１と、プリンタ１２と、記憶部１３と、通信部１４と、外部機器２とを備えている。例えば、貨幣処理システム１は、銀行などの金融機関に設けられる。
【００３６】
〔操作表示部（表示部/操作部）〕
操作表示部１１（表示部）は、貨幣処理システム１における硬貨の処理状況や硬貨の在高などの各種の情報を表示するように構成されている。また、操作表示部１１（操作部）は、操作者に操作されて操作者による指示や各種の情報を受け付けるように構成されている。これにより、操作者は、操作表示部１１を操作して貨幣処理システム１に各種の処理を行わせることができる。すなわち、硬貨処理装置１０は、操作表示部１１（操作部）に与えられた操作者による指示に応じて動作するように構成されている。例えば、操作表示部１１は、タッチパネルによって構成されている。
【００３７】
〔プリンタ〕
プリンタ１２は、貨幣処理システム１における硬貨の処理状況や硬貨の在高などの各種の情報をレシートに印字して各種の情報が印字されたレシートを発行するように構成されている。
【００３８】
〔記憶部〕
記憶部１３は、各種の情報を記憶するように構成されている。例えば、記憶部１３は、ハードディスクドライブやフラッシュメモリなどの汎用のストレージデバイスによって構成されている。
【００３９】
〔通信部〕
通信部１４は、硬貨処理装置１０が外部機器２やその他の機器との間で有線通信や無線通信を行うために設けられている。
【００４０】
〔外部機器〕
外部機器２は、通信部１４を経由して硬貨処理装置１０と信号や情報を送受するように構成されている。また、外部機器２（表示部）は、各種の情報（例えば硬貨処理装置１０から通信部１４を経由して受信した情報など）を表示するように構成されている。また、外部機器２（操作部）は、操作者に操作されて操作者による指示や各種の情報を受け付けるように構成されている。これらの指示や情報は、外部機器２から通信部１４を経由して硬貨処理装置１０に送信される。これにより、操作者は、外部機器２を操作して貨幣処理システム１に各種の処理を行わせることができる。すなわち、硬貨処理装置１０は、外部機器２に与えられた操作者による指示に応じて動作するように構成されている。例えば、外部機器２は、金融機関のセンターに設置された上位機（例えばサーバ）や、金融機関の従業員に所持される情報端末（例えばタブレット端末）などである。
【００４１】
〔硬貨処理装置〕
次に、図１〜図７を参照して、硬貨処理装置１０について説明する。硬貨処理装置１０は、硬貨（貨幣の一例）を処理するように構成されている。具体的には、硬貨処理装置１０は、硬貨の入出金処理，包装硬貨Ｃ（包装貨幣の一例）の生成処理，包装硬貨Ｃの出金処理などを行うように構成されている。なお、包装硬貨Ｃは、所定枚数（例えば５０枚）の硬貨によって構成され、これらの所定枚数の硬貨は、包装媒体（例えば紙やフィルムなど）で包装されている。
【００４２】
この例では、硬貨処理装置１０は、筐体２０を備えている。筐体２０は、直方体型の箱状に形成されている。また、硬貨処理装置１０は、硬貨投入部２１と、硬貨一時保留部２２と、硬貨収納ユニット２３と、入金リジェクト部２４と、返却箱２５と、出金箱２６と、回収部２７と、硬貨搬送部２８とを備えている。さらに、硬貨処理装置１０は、包装部４０と、包装硬貨収納ユニット４１と、包装硬貨一括収納部４２と、包装硬貨出金部４３と、包装硬貨投出部４４と、包装硬貨搬送部４５とを備えている。これらの構成部材は、筐体２０に収納されている。
【００４３】
筐体２０内では、筐体２０の前方から見て、左上部に硬貨投入部２１が配置され、硬貨投入部２１の下方に硬貨一時保留部２２が配置され、硬貨一時保留部２２の下方に硬貨収納ユニット２３と返却箱２５が配置され、硬貨収納ユニット２３と返却箱２５の下方に包装部４０が配置され、包装部４０の右上方に包装硬貨収納ユニット４１が配置され、包装部４０と包装硬貨収納ユニット４１の前方に包装硬貨搬送部４５が配置されている。すなわち、筐体２０の下部に包装部４０が配置され、包装部４０の上方に硬貨収納ユニット２３と包装硬貨収納ユニット４１とが筐体２０の幅方向（左右方向）に並んで配置され、硬貨収納ユニット２３の上方に硬貨一時保留部２２と硬貨投入部２１とが順に配置されている。
【００４４】
また、筐体２０内では、硬貨一時保留部２２の前方に入金リジェクト部２４が配置され、包装部４０の前方に出金箱２６が配置され、包装部４０の下方に回収部２７が配置され、包装硬貨収納ユニット４１の前方に包装硬貨出金部４３と包装硬貨一括収納部４２が配置され、包装部４０の前方に包装硬貨投出部４４が配置されている。
【００４５】
〈硬貨投入部〉
硬貨投入部２１は、硬貨が投入されるように構成され、投入された硬貨を繰り出して硬貨の識別と分類を行うように構成されている。この例では、硬貨投入部２１は、供給円盤２１ａと、回転円盤２１ｂと、硬貨通路２１ｃとを有している。
【００４６】
供給円盤２１ａは、硬貨投入部２１に投入された硬貨を受け入れ、回転円盤２１ｂに硬貨を適量ずつ供給するように構成されている。回転円盤２１ｂは、硬貨通路２１ｃに硬貨を１枚ずつ繰り出すように構成されている。硬貨通路２１ｃは、硬貨を搬送するための通路である。
【００４７】
硬貨通路２１ｃは、回転円盤２１ｂの出口から筐体２０の幅方向（左右方向）に延伸する識別通路部２１１と、識別通路部２１１の出口から筐体２０の奥行き方向（前後方向）に延伸する分類通路部２１２とを有している。また、識別通路部２１１および分類通路部２１２には、硬貨を搬送するように構成された搬送ベルト（図示を省略）が設けられている。
【００４８】
また、識別通路部２１１には、硬貨に対して識別処理（硬貨の金種，真偽，正損などの識別）を行うように構成された硬貨識別部３０が設けられている。硬貨識別部３０は、例えば、磁気センサや画像センサなどの各種センサと、ＣＰＵなどの演算処理部と、演算処理部を動作させるためのプログラムや情報を記憶するメモリなどの記憶部とによって構成されている。
【００４９】
分類通路部２１２には、分類通路部２１２の上流側から下流側へ向けて、リジェクト硬貨分岐部２１３と任意硬貨分岐部２１４と金種別硬貨分岐部２１５とが順に設けられている。また、この例では、金種別硬貨分岐部２１５には、６つの金種にそれぞれ対応する６つの硬貨分岐部２１５ａ〜２１５ｆが設けられている。具体的には、金種別硬貨分岐部２１５の上流側から下流側へ向けて、５円硬貨分岐部２１５ａと１円硬貨分岐部２１５ｂと５０円硬貨分岐部２１５ｃと１００円硬貨分岐部２１５ｄと１０円硬貨分岐部２１５ｅと５００円硬貨分岐部２１５ｆとが順に設けられている。また、リジェクト硬貨分岐部２１３と任意硬貨分岐部２１４と６つの硬貨分岐部２１５ａ〜２１５ｆには、該当する硬貨を落とし込ませて分岐させるための分岐孔２１６が設けられている。
【００５０】
なお、リジェクト硬貨分岐部２１３と任意硬貨分岐部２１４と５円硬貨分岐部２１５ａは、電気的駆動機構（例えばソレノイドなど）によって硬貨を強制的に分岐孔２１６に落とし込ませるように構成されている。また、１円硬貨分岐部２１５ｂと５０円硬貨分岐部２１５ｃと１００円硬貨分岐部２１５ｄと１０円硬貨分岐部２１５ｅは、小径硬貨から大径硬貨の順に硬貨を径の大きさで選別して該当する分岐孔２１６に落とし込ませるように構成されている。そして、５００円硬貨分岐部２１５ｆは、５円硬貨分岐部２１５ａと１円硬貨分岐部２１５ｂと５０円硬貨分岐部２１５ｃと１００円硬貨分岐部２１５ｄと１０円硬貨分岐部２１５ｅにおいて分岐孔２１６に落とし込まれずに通過してきた硬貨を５００円硬貨として該当する分岐孔２１６に落とし込ませるように構成されている。
【００５１】
また、リジェクト硬貨分岐部２１３の下方には、返却シュート３１が設けられている。返却シュート３１は、リジェクト硬貨分岐部２１３において分岐された硬貨を入金リジェクト部２４へ導くように構成されている。
【００５２】
また、任意硬貨分岐部２１４の下方には、任意硬貨シュート３２ａが設けられている。任意硬貨シュート３２ａは、任意硬貨分岐部２１４において分岐された硬貨を下方に導くように構成されている。そして、任意硬貨シュート３２ａの下方には、袋取りシュート３２ｂとダイレクト包装用シュート３２ｃが設けられている。袋取りシュート３２ｂは、任意硬貨シュート３２ａを経由して導かれた硬貨を筐体２０の前面２０ａに設けられた袋装着部（図示を省略）に導くように構成されている。なお、袋取りシュート３２ｂを経由して袋装着部に導かれた硬貨は、袋装着部に装着された袋（図示を省略）に収納される。ダイレクト包装用シュート３２ｃは、任意硬貨シュート３２ａを経由して導かれた硬貨を包装部４０へ導くように構成されている。また、任意硬貨シュート３２ａと袋取りシュート３２ｂとダイレクト包装用シュート３２ｃとの連結部には、任意硬貨切換板３２ｄが設けられている。任意硬貨切換板３２ｄは、任意硬貨シュート３２ａを経由して導かれた硬貨を袋取りシュート３２ｂに導く状態とダイレクト包装用シュート３２ｃに導く状態とに切り換えられるように構成されている。
【００５３】
〈硬貨一時保留部〉
硬貨一時保留部２２は、硬貨を一時的に保留（収納）するように構成されている。この例では、硬貨一時保留部２２は、硬貨投入部２１において金種別に分類された硬貨を受け入れて金種別に保留するように構成されている。そして、硬貨一時保留部２２は、一時的に保留している硬貨を硬貨収納ユニット２３と返却箱２５とに選択的に放出するように構成されている。具体的には、硬貨一時保留部２２は、対象とする硬貨の金種数に対応する複数（この例では６つ）の保留筒２２ａと、底部材２２ｂと、第１移動機構２２ｃと、第２移動機構２２ｄとを有している。
【００５４】
複数の保留筒２２ａは、筐体２０の奥行き方向（前後方向）に沿って金種別に並んで配置され、硬貨投入部２１において金種別に分類された硬貨をそれぞれ収納することができるように構成されている。なお、保留筒２２ａの底部は、開口している。底部材２２ｂは、複数の保留筒２２ａの下方に配置され、複数の保留筒２２ａの底部開口を一括して開閉するように構成されている。第１移動機構２２ｃおよび第２移動機構２２ｄは、複数の保留筒２２ａおよび底部材２２ｂを筐体２０の幅方向（左右方向）にそれぞれ独立して移動させるように構成されている。
【００５５】
硬貨投入部２１から放出される硬貨を硬貨一時保留部２２に一時的に保留させる場合、複数の保留筒２２ａを硬貨投入部２１の金種別硬貨分岐部２１５の下方に配置して複数の保留筒２２ａが金種別硬貨分岐部２１５から硬貨を受け入れる状態にし、底部材２２ｂを複数の保留筒２２ａの下方に配置して底部材２２ｂにより複数の保留筒２２ａの底部開口を閉塞させる。これにより、複数の保留筒２２ａに硬貨を一時的に保留させることができる。
【００５６】
硬貨一時保留部２２に一時的に保留された硬貨を硬貨収納ユニット２３に放出する場合、複数の保留筒２２ａを底部材２２ｂの上方から左方向に移動させて硬貨収納ユニット２３の上方に配置する。なお、底部材２２ｂは、返却箱２５の上方に配置されたままである。したがって、複数の保留筒２２ａの底部開口が開放されて複数の保留筒２２ａ内の硬貨が硬貨収納ユニット２３に放出される。
【００５７】
硬貨一時保留部２２に一時的に保留された硬貨を返却箱２５に放出する場合、底部材２２ｂを返却箱２５の上方から左方向に移動させて硬貨収納ユニット２３の上方に配置する。なお、複数の保留筒２２ａは、返却箱２５の上方に配置されたままである。したがって、複数の保留筒２２ａの底面が開放されて複数の保留筒２２ａ内の硬貨が返却箱２５に放出される。
【００５８】
〈硬貨収納ユニット〉
硬貨収納ユニット２３は、硬貨を収納するように構成されている。また、硬貨収納ユニット２３は、硬貨を１枚ずつ繰り出すように構成されている。この例では、硬貨収納ユニット２３は、硬貨一時保留部２２から放出された硬貨を金種別に収納するように構成されている。また、硬貨収納ユニット２３は、収納している硬貨を金種別に硬貨搬送部２８に放出するように構成されている。具体的には、硬貨収納ユニット２３は、対象とする硬貨の金種数に対応する複数（この例では６つ）の硬貨収納部２３ａと、複数の硬貨収納部２３ａにそれぞれ対応する複数（この例では６つ）の硬貨繰出部２３ｂとを有している。
【００５９】
複数の硬貨収納部２３ａ（貨幣収納部）は、筐体２０の奥行き方向（前後方向）に沿って金種別に並んで配置され、硬貨一時保留部２２から金種別に放出された硬貨をそれぞれ収納するように構成されている。
【００６０】
複数の硬貨繰出部２３ｂは、複数の硬貨収納部２３ａの底部にそれぞれ設けられ、それぞれが硬貨収納部２３ａに収納された硬貨を硬貨搬送部２８に１枚ずつ繰り出すように構成されている。この例では、硬貨繰出部２３ｂには、繰出用回転円盤２３ｃが設けられている。繰出用回転円盤２３ｃは、硬貨収納部２３ａに収納された硬貨を取り込み、取り込んだ硬貨を硬貨搬送部２８に１枚ずつ繰り出すように構成されている。
【００６１】
〈入金リジェクト部〉
入金リジェクト部２４は、入金された硬貨の中で識別できない等の理由で返却すべき硬貨を集積するように構成されている。この例では、入金リジェクト部２４は、リジェクト硬貨分岐部２１３から返却シュート３１を経由して導かれた硬貨を集積するように構成されている。
【００６２】
〈返却箱〉
返却箱２５は、返却すべき硬貨を収納するように構成されている。この例では、返却箱２５は、硬貨一時保留部２２から放出された硬貨を収納するように構成されている。具体的には、返却箱２５は、筐体２０の奥行き方向（前後方向）に長尺となる直方体型の箱状に形成され、上方から放出された硬貨を収納するように構成されている。また、返却箱２５は、筐体２０に対して着脱可能に構成され、筐体２０の前面２０ａから引き出し可能となっている。
【００６３】
〈出金箱〉
出金箱２６は、払い出すべき硬貨を収納するように構成されている。この例では、出金箱２６は、硬貨収納ユニット２３から繰り出されて硬貨搬送部２８を経由して送り込まれた硬貨を収納するように構成されている。具体的には、出金箱２６は、直方体型の箱状に形成され、上方から投入された硬貨を収納するように構成されている。出金箱２６は、筐体２０に対して着脱可能に構成され、筐体２０の前面２０ａから引き出し可能となっている。
【００６４】
また、この例では、出金箱２６の底板２６ａは、開閉可能に構成されている。そして、出金箱２６の下方には、回収シュート３３が設けられている。回収シュート３３は、出金箱２６の底板２６ａの開放によって出金箱２６から放出された硬貨を回収部２７に導くように構成されている。
【００６５】
〈回収部〉
回収部２７は、回収すべき硬貨を収納するように構成されている。この例では、回収部２７は、出金箱２６から放出された硬貨と包装部４０から放出された硬貨を収納するように構成されている。具体的には、回収部２７は、直方体型の箱状に形成され、出金箱２６から回収シュート３３を経由して導かれた硬貨と包装部４０から後述の排出シュート５０を経由して導かれた硬貨とを収納するように構成されている。また、回収部２７は、筐体２０に対して着脱可能に構成され、筐体２０の前面２０ａから引き出し可能となっている
また、この例では、回収部２７には、回収返却箱２７ａと回収切換板２７ｂとが設けられている。回収返却箱２７ａは、回収部２７よりも小さな直方体型の箱状に形成されて排出シュート５０の下方に配置され、包装部４０から排出シュート５０を経由して導かれた硬貨を収納するように構成されている。また、回収返却箱２７ａは、筐体２０に対して着脱可能に構成され、筐体２０の前面２０ａから引き出し可能となっている。回収切換板２７ｂは、回収部２７内において回収返却箱２７ａの上方に設けられ、包装部４０から排出シュート５０を経由して導かれた硬貨を回収部２７の本体に導く状態と回収返却箱２７ａに導く状態とに切り換えられるように構成されている。
【００６６】
〈硬貨搬送部（貨幣搬送部）〉
硬貨搬送部２８は、硬貨を搬送するように構成されている。この例では、硬貨収納ユニット２３から繰り出された硬貨を出金箱２６と包装部４０とに選択的に搬送するように構成されている。具体的には、硬貨搬送部２８は、コンベヤ２８ａと、払出機構２８ｂとを有している。
【００６７】
コンベヤ２８ａは、筐体２０の奥行き方向（前後方向）に沿うように水平に延伸し、硬貨収納ユニット２３から繰り出された硬貨を奥行き方向（前後方向）に搬送するように構成されている。払出機構２８ｂは、コンベヤ２８ａの中央部に配置され、コンベヤ２８ａから硬貨を払い出すように構成されている。
【００６８】
また、コンベヤ２８ａには、出金識別部３４が設けられている。出金識別部３４は、コンベヤ２８ａの前端部の近傍に配置され、コンベヤ２８ａによって搬送される硬貨に対して識別処理（硬貨の金種，真偽，正損などを識別）を行うように構成されている。例えば、出金識別部３４は、磁気センサや画像センサなどの各種センサと、ＣＰＵなどの演算処理部と、演算処理部を動作させるためのプログラムや情報を記憶するメモリなどの記憶部とによって構成されている。
【００６９】
また、コンベヤ２８ａの前端部には、出金シュート３５が設けられている。出金シュート３５は、コンベヤ２８ａによって搬送された硬貨を出金箱２６に導くように構成されている。また、払出機構２８ｂの下方には、包装用シュート３６が設けられている。包装用シュート３６は、払出機構２８ｂによってコンベヤ２８ａから払い出された硬貨を包装部４０へ導くように構成されている。
【００７０】
〈包装部（包装貨幣生成部）〉
包装部４０は、包装硬貨Ｃを生成するように構成されている。この例では、包装部４０は、硬貨収納ユニット２３から繰り出された硬貨（または硬貨投入部２１に投入された硬貨）を用いて包装硬貨Ｃを生成するように構成されている。具体的には、包装部４０は、包装用回転円盤４０ａと、包装用硬貨通路４０ｂと、搬送ベルト４０ｃと、重積部４０ｄと、包装機構４０ｅとを有している。
【００７１】
包装用回転円盤４０ａは、硬貨収納ユニット２３から繰り出されて硬貨搬送部２８と包装用シュート３６とを順に経由して導かれた硬貨（または、硬貨投入部２１の任意硬貨分岐部２１４から任意硬貨シュート３２ａとダイレクト包装用シュート３２ｃとを順に経由して導かれた硬貨）を受け入れ、包装用硬貨通路４０ｂに硬貨を１枚ずつ繰り出すように構成されている。包装用硬貨通路４０ｂは、包装用回転円盤４０ａから繰り出された硬貨を搬送するための通路である。搬送ベルト４０ｃは、包装用硬貨通路４０ｂに設けられ、包装用硬貨通路４０ｂ内の硬貨を搬送するように構成されている。重積部４０ｄは、包装用硬貨通路４０ｂの下流（出口）に設けられ、包装用硬貨通路４０ｂから送り込まれる硬貨を重積するように構成されている。これにより、重積部４０ｄに所定枚数（例えば５０枚）の硬貨が重積される。
【００７２】
包装機構４０ｅは、重積部４０ｄに重積された所定枚数の硬貨を包装媒体（例えば紙やフィルムなど）により包装して包装硬貨Ｃを生成するように構成されている。また、包装機構４０ｅは、包装硬貨Ｃを下方に排出するように構成されている。この例では、包装機構４０ｅは、３つの包装ローラ４００を有している。３つの包装ローラ４００は、上方から見て仮想の正三角形の３つの頂点にそれぞれ位置するように配置されている。また、３つの包装ローラ４００の間に重積部４０ｄが構成されている。
【００７３】
また、包装用硬貨通路４０ｂの下方には、排出シュート５０が設けられている。排出シュート５０は、包装硬貨Ｃを生成に用いられない硬貨（例えば所定枚数に満たない端数分の硬貨）を回収部２７へ導くように構成されている。すなわち、包装部４０は、包装硬貨Ｃの生成に用いられない硬貨を排出シュート５０を経由して回収部２７に排出するように構成されている。
【００７４】
また、包装機構４０ｅの下方には、包装硬貨シュート５１ａと横搬送部５１ｂが設けられている。包装硬貨シュート５１ａは、包装機構４０ｅから排出された包装硬貨Ｃを横搬送部５１ｂへ導くように構成されている。横搬送部５１ｂは、包装硬貨シュート５１ａを経由して導かれた包装貨幣を包装硬貨搬送部４５に搬送するように構成されている。また、横搬送部５１ｂと包装硬貨搬送部４５との間には、切換部材５１ｃが設けられている。切換部材５１ｃは、横搬送部５１ｂから包装硬貨搬送部４５への包装硬貨Ｃの放出を許可する状態と禁止する状態とに切り換えられるように構成されている。
【００７５】
〈包装硬貨収納ユニット〉
包装硬貨収納ユニット４１は、包装硬貨Ｃの収納と繰出を行うように構成されている。この例では、包装硬貨収納ユニット４１は包装硬貨Ｃを金種別に収納するように構成されている。また、包装硬貨収納ユニット４１は、包装硬貨搬送部４５との間において包装硬貨Ｃの受け渡しを行うように構成されている。具体的には、包装硬貨収納ユニット４１は、対象とする包装硬貨Ｃの金種数に対応する複数（この例では６つ）の包装硬貨トレイ４１ａと、ストッパ機構４１ｂとを有している。
【００７６】
複数の包装硬貨トレイ４１ａ（包装貨幣収納部）は、筐体２０の高さ方向（上下方向）に沿って金種別に並んで配置され、包装硬貨搬送部４５との間において包装硬貨Ｃの受け渡しを行うように構成されている。具体的には、包装硬貨トレイ４１ａは、筐体２０の奥行き方向（前後方向）に長尺となり筐体２０の高さ方向（上下方向）に扁平となる直方体型の箱状に形成され、前方へ向けて下方に傾斜するように配置されている。これにより、包装硬貨Ｃは、その長手方向が筐体２０の幅方向（左右方向）となり包装硬貨トレイ４１ａの前方に寄るように包装硬貨トレイ４１ａに収納されている。また、複数の包装硬貨トレイ４１ａは、筐体２０の奥行き方向（前後方向）に移動可能に構成されている。
【００７７】
ストッパ機構４１ｂは、複数の包装硬貨トレイ４１ａと包装硬貨搬送部４５との間に配置され、筐体２０の高さ方向（上下方向）に移動可能に構成されている。また、ストッパ機構４１ｂには、複数の包装硬貨トレイ４１ａにそれぞれ対応する複数（この例では６つ）のストッパ部４１ｃが設けられている。ストッパ部４１ｃは、ストッパ機構４１ｂが下降位置にある場合に包装硬貨トレイ４１ａの最前部の包装硬貨Ｃに接触し、ストッパ機構４１ｂが上昇位置にある場合に包装硬貨トレイ４１ａの最前部の包装硬貨Ｃに接触しないように構成されている。
【００７８】
〈包装硬貨一括収納部（包装貨幣収納部）〉
包装硬貨一括収納部４２は、包装硬貨Ｃを収納するように構成されている。この例では、包装硬貨一括収納部４２は、包装硬貨搬送部４５によって搬送された包装貨幣を収納するように構成されている。また、包装硬貨一括収納部４２は、筐体２０に対して着脱可能に構成され、筐体２０の前面２０ａから引き出し可能となっている。
【００７９】
〈包装硬貨出金部〉
包装硬貨出金部４３は、払い出すべき包装硬貨Ｃを集積するように構成されている。この例では、包装硬貨出金部４３は、包装硬貨搬送部４５によって搬送された包装硬貨Ｃを収納するように構成されている。また、包装硬貨出金部４３には、筐体２０の前面２０ａに開口する出金口が設けられ、その出金口には、シャッタが設けられている。そして、包装硬貨出金部４３のシャッタが開状態となることにより、操作者は、包装硬貨出金部４３から包装硬貨Ｃを取り出すことができる。
【００８０】
〈包装硬貨投出部（包装貨幣払出部）〉
包装硬貨投出部４４は、払い出すべき包装硬貨Ｃを投出するように構成されている。この例では、包装硬貨出金部４３は、包装硬貨搬送部４５によって搬送された包装貨幣を回収容器４４ａに投出するように構成されている。回収容器４４ａは、予め定められた容器位置に配置されて包装硬貨投出部４４から投出された包装硬貨Ｃを受け入れるように構成されている。
【００８１】
なお、この例では、包装硬貨投出部４４には、容器確認センサ６１が設けられている。容器確認センサ６１は、回収容器４４ａが容器位置に配置されていることを検知するように構成されている。
【００８２】
〈包装硬貨搬送部（包装貨幣搬送部）〉
包装硬貨搬送部４５は、包装硬貨Ｃを搬送するように構成されている。この例では、包装硬貨搬送部４５は、包装部４０から排出された包装硬貨Ｃ（または包装硬貨収納ユニット４１から繰り出された包装硬貨Ｃ）を包装硬貨収納ユニット４１（または包装硬貨一括収納部４２，包装硬貨出金部４３，包装硬貨投出部４４）に搬送するように構成されている。具体的には、包装硬貨搬送部４５は、上側プーリ４５ａと、下側プーリ４５ｂと、循環ベルト４５ｃと、複数の支持部４５ｄと、ガイド体４５ｅとを有している。
【００８３】
上側プーリ４５ａおよび下側プーリ４５ｂは、筐体２０内の上部および下部にそれぞれ設けられている。循環ベルト４５ｃは、上側プーリ４５ａと下側プーリ４５ｂとの間に掛け渡されている。複数の支持部４５ｄは、所定の間隔をおいて循環ベルト４５ｃに突設され、それぞれが循環ベルト４５ｃのベルト面に対して所定の角度（例えば６０°）で傾斜するように構成されている。ガイド体４５ｅは、循環ベルト４５ｃの周囲に設けられ、循環ベルト４５ｃとの間において包装硬貨Ｃを案内するように構成されている。このような構成により、上側プーリ４５ａおよび下側プーリ４５ｂのいずれか一方を回転駆動することにより、循環ベルト４５ｃを駆動させて複数の支持部４５ｄを筐体２０の高さ方向（上下方向）に移動させることができる。
【００８４】
また、ガイド体４５ｅには、一括収納切換板４５ｆと、出金切換板４５ｇと、投出切換板４５ｈとが設けられている。一括収納切換板４５ｆは、包装硬貨一括収納部４２に対応する位置（この例では包装硬貨一括収納部４２の上部近傍）に設けられ、包装硬貨搬送部４５から包装硬貨一括収納部４２への包装硬貨Ｃの放出を許可する状態と禁止する状態とに切り換えられるように構成されている。出金切換板４５ｇは、包装硬貨出金部４３に対応する位置（この例では包装硬貨出金部４３の上部近傍）に設けられ、包装硬貨搬送部４５から包装硬貨出金部４３への包装硬貨Ｃの放出を許可する状態と禁止する状態とに切り換えられるように構成されている。投出切換板４５ｈは、包装硬貨投出部４４に対応する位置（この例では包装硬貨投出部４４と連通する位置）に設けられ、包装硬貨搬送部４５から包装硬貨投出部４４への包装硬貨Ｃの放出を許可する状態と禁止する状態とに切り換えられるように構成されている。
【００８５】
包装硬貨搬送部４５から包装硬貨収納ユニット４１に包装硬貨Ｃを引き渡す場合、包装硬貨Ｃを支持する支持部４５ｄが上方向に移動して該当する包装硬貨トレイ４１ａ（その包装硬貨Ｃを収納すべき包装硬貨トレイ４１ａ）の位置の上に配置されるように循環ベルト４５ｃを駆動させ、その後、ストッパ機構４１ｂを下降位置に配置し、その該当する包装硬貨トレイ４１ａを前進させて包装硬貨トレイ４１ａの最前部をガイド体４５ｅ内に進入させる。これにより、該当する包装硬貨トレイ４１ａに収納された最前部の包装硬貨Ｃにストッパ部４１ｃが接触して最前部の包装硬貨Ｃがガイド体４５ｅ内に進入することが阻止され、その該当する包装硬貨トレイ４１ａの最前部に包装硬貨Ｃを受け入れるためのスペースが確保される。次に、包装硬貨Ｃを支持する支持部４５ｄが下方向に移動して包装硬貨Ｃが該当する包装硬貨トレイ４１ａの最前部に引き渡されるように循環ベルト４５ｃを駆動させる。そして、該当する包装硬貨トレイ４１ａを後退させる。このようにして、包装硬貨Ｃが包装硬貨トレイ４１ａに収納される。
【００８６】
包装硬貨収納ユニット４１から包装硬貨搬送部４５に包装硬貨Ｃを引き渡す場合、ストッパ機構４１ｂを上昇位置に配置し、該当する包装硬貨トレイ４１ａ（包装硬貨搬送部４５に引き渡すべき包装硬貨Ｃが収納されている包装硬貨トレイ４１ａ）を前進させて包装硬貨トレイ４１ａの最前部をガイド体４５ｅ内に進入させる。これにより、該当する包装硬貨トレイ４１ａに収納された最前部の包装硬貨Ｃにストッパ部４１ｃが接触せず、その最前部の包装硬貨Ｃが包装硬貨トレイ４１ａの最前部まで移動してガイド体４５ｅ内に進入する。次に、該当する包装硬貨トレイ４１ａの最前部の下方に位置する支持部４５ｄが上方向に移動して包装硬貨トレイ４１ａの最前部に位置する包装硬貨Ｃをすくい上げるように循環ベルト４５ｃを駆動させる。そして、その該当する包装硬貨トレイ４１ａを後退させる。このようにして、包装硬貨Ｃが包装硬貨トレイ４１ａから繰り出される。
【００８７】
〈硬貨制御部（制御部）〉
また、硬貨処理装置１０は、硬貨制御部６０を備えている。硬貨制御部６０は、硬貨処理装置１０の各部（この例では硬貨投入部２１と硬貨一時保留部２２と硬貨収納ユニット２３と入金リジェクト部２４と返却箱２５と回収部２７と硬貨搬送部２８と包装部４０と包装硬貨収納ユニット４１と包装硬貨一括収納部４２と包装硬貨出金部４３と包装硬貨投出部４４と、包装硬貨搬送部４５）と信号を伝送可能に接続されている。また、硬貨制御部６０は、操作表示部１１やプリンタ１２や記憶部１３と信号を伝送可能に接続されている。さらに、硬貨制御部６０は、通信部１４を経由して外部機器２と信号を伝送可能に接続されている。なお、硬貨処理装置１０の各部には、硬貨や包装硬貨Ｃの通過を検出する通過センサなどの各種センサが設けられている。
【００８８】
そして、硬貨制御部６０は、硬貨処理装置１０において各種の処理が行われるように、外部機器２や操作表示部１１や硬貨処理装置１０の各部（具体的には各部の構成部品や各部に設けられた各種センサなど）からの信号や情報に基づいて、硬貨処理装置１０の各部を制御するように構成されている。例えば、硬貨制御部６０は、ＣＰＵなどの演算処理部や、演算処理部を動作させるためのプログラムや情報を記憶するメモリなどの記憶部などによって構成されている。
【００８９】
この例では、硬貨制御部６０は、入金処理と自動収集処理とダイレクト収集処理とが行われるように、硬貨処理装置１０の各部を制御して硬貨処理装置１０の動作を制御する。
【００９０】
〈入金処理〉
硬貨制御部６０は、操作者による入金処理の実行指示がある場合に、入金処理が行われるように硬貨処理装置１０の動作を制御する。入金処理では、硬貨投入部２１に投入された硬貨が硬貨投入部２１において分類されて硬貨収納ユニット２３の複数の硬貨収納部２３ａに金種別に収納される。
【００９１】
具体的には、入金処理では、硬貨投入部２１に投入された硬貨は、硬貨識別部３０において識別され、識別の結果に応じて硬貨一時保留部２２の複数の保留筒２２ａに一時的に保留される。なお、硬貨識別部３０において識別することができない硬貨は、返却シュート３１を経由して入金リジェクト部２４に搬送される。その後、操作者による承認操作（入金を承認するための操作）が操作表示部１１に与えられると、硬貨一時保留部２２の複数の保留筒２２ａに一時的に保留されている硬貨は、硬貨収納ユニット２３の複数の硬貨収納部２３ａにそれぞれ放出されて収納される。
【００９２】
〈自動収集処理〉
また、硬貨制御部６０は、硬貨収納ユニット２３の硬貨収納部２３ａにおける貨幣の収納量が予め定められた開始閾値を上回り、且つ、包装硬貨収納ユニット４１の包装硬貨トレイ４１ａ（または包装硬貨一括収納部４２）における包装硬貨Ｃの収納量が予め定められた収納上限閾値を下回る場合に、自動収集処理が行われるように硬貨処理装置１０の動作を制御する。自動収集処理では、硬貨収納ユニット２３の硬貨収納部２３ａに収納された硬貨が包装部４０に搬送されて包装部４０において硬貨を用いて包装硬貨Ｃが生成され、その包装硬貨Ｃが包装硬貨収納ユニット４１の包装硬貨トレイ４１ａ（または包装硬貨一括収納部４２）に搬送されて収納される。
【００９３】
具体的には、自動収集処理では、硬貨収納ユニット２３の該当する硬貨収納部２３ａ（空き容量が不足している硬貨収納部２３ａ）に収納されている硬貨は、硬貨搬送部２８に１枚ずつ繰り出されて包装部４０に搬送される。包装部４０において所定枚数の硬貨が重積されると、その所定枚数の硬貨が包装されて包装硬貨Ｃが生成される。包装部４０において生成された包装硬貨Ｃは、包装硬貨搬送部４５に放出され、包装硬貨収納ユニット４１の該当する包装硬貨トレイ４１ａ（空き容量が不足している硬貨収納部２３ａに収納される硬貨と同一の金種の包装硬貨Ｃが収納される包装硬貨トレイ４１ａ）または包装硬貨一括収納部４２に搬送されて収納される。
【００９４】
また、硬貨制御部６０は、自動収集処理において硬貨収納部２３ａにおける硬貨の収納量が予め定められた終了閾値を下回ると、自動収集処理が終了するように硬貨処理装置１０の動作を制御する。
【００９５】
なお、自動収集処理における開始閾値および終了閾値は、複数の硬貨収納部２３ａの各々に対して個別に設定されている。また、自動収集処理における収納上限閾値は、複数の包装硬貨トレイ４１ａおよび包装硬貨一括収納部４２の各々に対して個別に設定されている。
【００９６】
〈ダイレクト収集処理〉
また、硬貨制御部６０は、所定条件が成立する場合に、ダイレクト収集処理が行われるように硬貨処理装置１０の動作を制御する。この例では、所定条件は、硬貨収納ユニット２３の硬貨収納部２３ａにおける硬貨の収納量が予め定められた開始閾値を上回り、且つ、包装硬貨収納ユニット４１の包装硬貨トレイ４１ａおよび包装硬貨一括収納部４２における包装硬貨Ｃの収納量が予め定められた収納上限閾値に到達しており、且つ、操作者（この例では貨幣処理システム１内の貨幣を回収する権限（以下、回収権限と記載）を有する操作者）によるダイレクト収集処理の実行指示があるという条件である。
【００９７】
すなわち、この例では、硬貨制御部６０は、硬貨収納ユニット２３の硬貨収納部２３ａにおける硬貨の収納量が開始閾値を上回り、且つ、包装硬貨収納ユニット４１の包装硬貨トレイ４１ａおよび包装硬貨一括収納部４２における包装硬貨Ｃの収納量が収納上限閾値に到達しており、且つ、操作者（この例では回収権限を有する操作者）によるダイレクト収集処理の実行指示がある場合に、ダイレクト収集処理が行われるように硬貨処理装置１０の動作を制御する。
【００９８】
ダイレクト収集処理では、硬貨収納ユニット２３の硬貨収納部２３ａに収納された硬貨が包装部４０に搬送されて包装部４０において硬貨を用いて包装硬貨Ｃが生成され、その包装硬貨Ｃが包装硬貨投出部４４に搬送されて包装硬貨投出部４４から払い出される。
【００９９】
具体的には、ダイレクト収集処理では、硬貨収納ユニット２３の該当する硬貨収納部２３ａ（空き容量が不足している硬貨収納部２３ａ）に収納されている硬貨は、硬貨搬送部２８に１枚ずつ繰り出されて包装部４０に搬送される。包装部４０において所定枚数の硬貨が重積されると、その所定枚数の硬貨が包装されて包装硬貨Ｃが生成される。包装部４０において生成された包装硬貨Ｃは、包装硬貨搬送部４５に放出され、包装硬貨投出部４４に搬送されて投出される。
【０１００】
また、硬貨制御部６０は、ダイレクト収集処理において硬貨収納部２３ａにおける硬貨の収納量が予め定められた終了閾値を下回ると、ダイレクト収集処理が終了するように硬貨処理装置１０の動作を制御する。
【０１０１】
なお、ダイレクト収集処理における開始閾値および終了閾値は、複数の硬貨収納部２３ａの各々に対して個別に設定されている。また、ダイレクト収集処理における収納上限閾値は、複数の包装硬貨トレイ４１ａおよび包装硬貨一括収納部４２の各々に対して個別に設定されている。また、ダイレクト収集処理における開始閾値と終了閾値と収納上限閾値は、自動収集処理における開始閾値と終了閾値と収納上限閾値と同一であってもよい。
【０１０２】
〈ダイレクト収集処理の案内表示〉
また、硬貨制御部６０は、硬貨収納部２３ａにおける硬貨の収納量が開始閾値を上回り、且つ、包装硬貨収納ユニット４１の包装硬貨トレイ４１ａおよび包装硬貨一括収納部４２における包装硬貨Ｃの収納量が収納上限閾値に到達している場合に、ダイレクト収集処理の実行指示を操作者に促すための情報を出力する。例えば、硬貨制御部６０は、ダイレクト収集処理の実行指示を操作者に促すための画像（ダイレクト収集処理の案内画像）を操作表示部１１に表示させる。なお、この例では、硬貨制御部６０は、回収権限を有する操作者がログインしている場合に、ダイレクト収集処理の案内画像を操作表示部１１に表示させる。
【０１０３】
〈ダイレクト収集処理の結果表示〉
また、硬貨制御部６０は、ダイレクト収集処理において包装硬貨投出部４４から払い出された包装硬貨Ｃに関する情報を出力する。例えば、硬貨制御部６０は、包装硬貨投出部４４から払い出された包装硬貨Ｃの金種や本数を示した画像を操作表示部１１に表示させる。さらに、硬貨制御部６０は、各種情報（例えば、ダイレクト収集処理において払い出された包装硬貨Ｃの金種別本数や合計金額，処理日時，操作者ＩＤなどの情報）が記載された回収レシートをプリンタ１２に発行させる。
【０１０４】
〈ダイレクト収集処理の許可/禁止〉
また、硬貨制御部６０は、予め定められた容器位置に回収容器４４ａが配置されている場合にダイレクト収集処理の実行を許可し、予め定められた容器位置に回収容器４４ａが配置されていない場合にダイレクト収集処理の実行を禁止する。さらに、この例では、硬貨制御部６０は、予め定められた容器位置に回収容器４４ａが配置されていない場合に、回収容器４４ａの配置を促す情報を出力する。例えば、硬貨制御部６０は、回収容器４４ａの配置を促すメッセージ（画像）を操作表示部１１に表示させる。
【０１０５】
〔硬貨処理装置の動作〕
次に、図８および図９を参照して、硬貨処理装置１０の動作について説明する。硬貨制御部６０は、複数の硬貨収納部２３ａの各々とその硬貨収納部２３ａに対応する包装硬貨トレイ４１ａ（その硬貨収納部２３ａに収納される硬貨の金種と同一の金種の包装硬貨Ｃが収納される包装硬貨トレイ）とに対して以下の処理を行う。
【０１０６】
〈ステップＳ１１〉
硬貨制御部６０は、硬貨収納部２３ａにおける硬貨の収納量が開始閾値（この硬貨収納部２３ａに対して設定された開始閾値）を上回るか否かを判定する。すなわち、硬貨収納部２３ａの空き容量が不足しているか否かが判定される。硬貨収納部２３ａにおける硬貨の収納量が開始閾値を上回る場合には、ステップＳ１２へ進む。
【０１０７】
〈ステップＳ１２〉
次に、硬貨制御部６０は、包装硬貨トレイ４１ａにおける包装硬貨Ｃの収納量が収納上限閾値（この包装硬貨トレイ４１ａに対して設定された収納上限閾値）に到達しているか否かを判定する。すなわち、包装硬貨トレイ４１ａの空き容量が不足しているか否かが判定される。包装硬貨トレイ４１ａにおける包装硬貨Ｃの収納量が収納上限閾値を下回る場合には、ステップＳ１３へ進み、そうでない場合には、ステップＳ１４へ進む。
【０１０８】
〈ステップＳ１３（包装硬貨トレイを利用した自動収集処理）〉
硬貨収納部２３ａにおける硬貨の収納量が開始閾値を上回り且つ包装硬貨トレイ４１ａにおける包装硬貨Ｃの収納量が収納上限閾値を下回る場合、硬貨制御部６０は、包装硬貨トレイ４１ａを利用した自動収集処理が行われるように硬貨処理装置１０の動作を制御する。
【０１０９】
そして、硬貨制御部６０は、包装硬貨トレイ４１ａを利用した自動収集処理において硬貨収納部２３ａにおける硬貨の収納量が終了閾値（この硬貨収納部２３ａに対して設定された終了閾値）を下回ると、包装硬貨トレイ４１ａを利用した自動収集処理が終了するように硬貨処理装置１０の動作を制御する。
【０１１０】
〈ステップＳ１４〉
一方、硬貨収納部２３ａにおける硬貨の収納量が開始閾値を上回り且つ包装硬貨トレイ４１ａにおける包装硬貨Ｃの収納量が収納上限閾値に到達している場合、硬貨制御部６０は、包装硬貨一括収納部４２における包装硬貨Ｃの収納量が収納上限閾値を下回るか否かを判定する。すなわち、包装硬貨一括収納部４２の空き容量が不足しているか否かが判定される。包装硬貨一括収納部４２における包装硬貨Ｃの収納量が収納上限閾値を下回る場合には、ステップＳ１５へ進み、そうでない場合には、ステップＳ２１（図９）へ進む。
【０１１１】
〈ステップＳ１５（包装貨幣一括収納部を利用した自動収集処理）〉
硬貨収納部２３ａにおける硬貨の収納量が開始閾値を上回り且つ包装硬貨一括収納部４２における包装硬貨Ｃの収納量が収納上限閾値を下回る場合、硬貨制御部６０は、包装硬貨一括収納部４２を利用した自動収集処理が行われるように硬貨処理装置１０の動作を制御する。
【０１１２】
そして、硬貨制御部６０は、包装硬貨一括収納部４２を利用した自動収集処理において硬貨収納部２３ａにおける硬貨の収納量が終了閾値（この硬貨収納部２３ａに対して設定された終了閾値）を下回ると、包装硬貨一括収納部４２を利用した自動収集処理が終了するように硬貨処理装置１０の動作を制御する。
【０１１３】
〈ステップＳ２１〉
硬貨収納部２３ａにおける硬貨の収納量が開始閾値を上回り、且つ、包装硬貨トレイ４１ａにおける包装硬貨Ｃの収納量が収納上限閾値に到達しており、且つ、包装硬貨一括収納部４２における包装硬貨Ｃの収納量が収納上限閾値に到達している場合、硬貨制御部６０は、操作者がログイン中であるか否かを判定する。具体的には、硬貨制御部６０は、操作者を識別するための情報（操作者ＩＤ）が取得されて操作者によるアクセス（硬貨制御部６０へのアクセス）が許可されている状態であるか否かを判定する。操作者がログイン中である場合には、ステップＳ２２へ進み、そうでない場合には、ステップＳ２７へ進む。
【０１１４】
〈ステップＳ２２〉
次に、硬貨制御部６０は、ログイン中の操作者が回収権限を有しているか否かを判定する。具体的には、硬貨制御部６０には、回収権限を有する者（例えば出納係や監督者）に割り当てられたＩＤが登録されている。そして、硬貨制御部６０は、ログイン中の操作者から取得された操作者ＩＤが予め登録されているＩＤと一致する場合に、ログイン中の操作者が回収権限を有していると判定する。ログイン中の操作者が回収権限を有している場合には、ステップＳ２３へ進み、そうでない場合には、ステップＳ２７へ進む。
【０１１５】
〈ステップＳ２３〉
次に、硬貨制御部６０は、ダイレクト収集処理の案内画面（すなわちダイレクト収集処理の実行指示を促すための画像）を操作表示部１１に表示させる。例えば、図１０に示すように、ダイレクト収集処理の案内画面には、ダイレクト収集処理の実行指示を促すメッセージと、ダイレクト収集処理の実行を許可するためのアイコン（図１０では「はい」）と、ダイレクト収集処理の実行を禁止するためのアイコン（図１０では「いいえ」）が表示される。
【０１１６】
〈ステップＳ２４〉
次に、硬貨制御部６０は、ダイレクト収集処理が選択されたか否かを判定する。例えば、操作表示部１１に表示されたダイレクト収集処理の案内画面においてダイレクト収集処理の実行を許可するためのアイコン（図１０では「はい」）が押下されたか否かを判定する。ダイレクト収集処理が選択された場合には、ステップＳ２５へ進み、そうでない場合には、ステップＳ２７へ進む。
【０１１７】
〈ステップＳ２５〉
硬貨収納部２３ａにおける硬貨の収納量が開始閾値を上回り、且つ、包装硬貨トレイ４１ａにおける包装硬貨Ｃの収納量が収納上限閾値に到達し、且つ、包装硬貨一括収納部４２における包装硬貨Ｃの収納量が収納上限閾値に到達し、且つ、ダイレクト収集処理の実行を指示する操作者の指示がある場合、硬貨制御部６０は、ダイレクト収集処理が行われるように硬貨処理装置１０の動作を制御する。
【０１１８】
この例では、回収容器４４ａが容器位置に配置されていない場合（具体的には容器確認センサ６１による検知がない場合）、硬貨制御部６０は、ダイレクト収集処理の開始前に回収容器４４ａの準備（回収容器４４ａを予め定められた容器位置に配置すること）を促すための情報を出力する。例えば、硬貨制御部６０は、回収容器４４ａの準備の案内画面（すなわち回収容器４４ａの準備を促すための画像）を操作表示部１１に表示させる。図１１に示すように、回収容器４４ａの準備の案内画面には、回収容器４４ａを配置すべき位置（容器位置）を示した矢印と、回収容器４４ａの準備（配置）を促すメッセージと、ダイレクト収集処理の実行開始を指示するためのアイコンが表示される。
【０１１９】
回収容器４４ａの準備の案内画面においてダイレクト収集処理の実行開始を指示するためのアイコン（図１１では「実行」）が押下されると、硬貨制御部６０は、ダイレクト収集処理が開始されるように硬貨処理装置１０の動作を制御する。また、硬貨制御部６０は、ダイレクト収集処理が開始してから終了するまで、図１２に示すような動作画面（ダイレクト収集処理が実行中であることを示した画像）を操作表示部１１に表示させる。
【０１２０】
そして、硬貨制御部６０は、ダイレクト収集処理において硬貨収納部２３ａにおける硬貨の収納量が終了閾値（この硬貨収納部２３ａに対して設定された終了閾値）を下回ると、ダイレクト収集処理が終了するように硬貨処理装置１０の動作を制御する。
【０１２１】
〈ステップＳ２６〉
ダイレクト収集処理が終了すると、硬貨制御部６０は、ダイレクト収集処理において払い出された硬貨に関する情報を出力する。この例では、硬貨制御部６０は、ダイレクト収集処理の結果が印字された回収レシートが発行されるようにプリンタ１２を制御する。
【０１２２】
なお、回収レシートには、「ダイレクト収集」と記載されたタイトルや、ダイレクト収集処理が行われた硬貨処理装置１０を識別するための情報（例えば装置の名称や番号）や、ダイレクト収集処理が行われた日時や、ダイレクト収集処理の実行を指示した操作者を特定するための情報（例えば操作者ＩＤ）や、ダイレクト収集処理において払い出された硬貨の明細に関する情報（例えば金種別枚数や金種別金額や合計金額）などが印字されている。この回収レシートは、回収された包装硬貨に添付されて金庫等に保管される。
【０１２３】
また、この例では、硬貨制御部６０は、ダイレクト収集処理の結果表示画面（ダイレクト収集処理の結果を示した画像）を操作表示部１１に表示させる。例えば、図１３に示すように、ダイレクト収集処理の結果表示画面において、ダイレクト収集処理の実行前に硬貨収納部２３ａに収納されていた硬貨の金種および枚数が表示領域Ｒ１に表示され、ダイレクト収集処理によって払い出された包装硬貨Ｃの金種と包装硬貨Ｃを生成するために用いられた硬貨の枚数が表示領域Ｒ２に表示され、ダイレクト収集処理の実行後に硬貨収納部２３ａに残っている硬貨の金種および枚数が表示領域Ｒ３に表示される。
【０１２４】
〈ステップＳ２７〉
一方、操作者がログイン中ではない場合、または、ログイン中の操作者が回収権限を有していない場合、または、ダイレクト収集処理が選択されない場合、予め定められた縮退運用に規定された動作が行われる。例えば、硬貨制御部６０は、入金処理の実行を禁止する。また、硬貨制御部６０は、硬貨収納部２３ａに収納されている硬貨の回収を促すための情報を出力する。具体的には、硬貨制御部６０は、硬貨収納部２３ａに収納されている硬貨の回収を促すメッセージ（画像）を操作表示部１１に表示させる。
【０１２５】
〔実施形態１による効果〕
以上のように、ダイレクト収集処理を行うことにより、硬貨収納部２３ａにおける貨幣の収納量を減少させて硬貨収納部２３ａの空き容量を増加させることができる。これにより、包装硬貨収納ユニット４１の包装硬貨トレイ４１ａおよび包装硬貨一括収納部４２の空き容量に依存することなく硬貨収納部２３ａの空き容量を確保することができる。そのため、硬貨収納部２３ａの空き容量の不足に起因する硬貨処理装置１０の休止の発生頻度を低減することができ、貨幣処理システム１を円滑に動作させることができる。
【０１２６】
また、所定条件が成立する場合にダイレクト収集処理によって硬貨収納部２３ａの空き容量を増加させることができる。これにより、所定条件が成立する場合に包装硬貨収納ユニット４１の包装硬貨トレイ４１ａおよび包装硬貨一括収納部４２の空き容量に依存することなく硬貨収納部２３ａの空き容量を確保することができる。
【０１２７】
また、自動収集処理を行うことにより、硬貨収納部２３ａにおける貨幣の収納量を減少させて硬貨収納部２３ａの空き容量を増加させることができる。これにより、硬貨収納部２３ａの空き容量を確保することができる。
【０１２８】
また、包装硬貨収納ユニット４１の包装硬貨トレイ４１ａおよび包装硬貨一括収納部４２の空き容量が不足しており且つ操作者によってダイレクト収集処理の実行が指示されている場合に、ダイレクト収集処理によって硬貨収納部２３ａの空き容量を増加させることができる。なお、包装硬貨収納ユニット４１の包装硬貨トレイ４１ａ（または包装硬貨一括収納部４２）の空き容量が不足していない場合には、自動収集処理によって硬貨収納部２３ａの空き容量を増加させることができる。また、操作者によってダイレクト収集処理の実行が指示されていない場合には、ダイレクト収集処理は行われない。このように、包装硬貨収納ユニット４１の包装硬貨トレイ４１ａおよび包装硬貨一括収納部４２の空き容量と操作者による指示の有無とに応じてダイレクト収集処理と自動収集処理とを適切に行うことができる。
【０１２９】
また、ダイレクト収集処理の実行指示を操作者に促すための情報を出力する（例えばダイレクト収集処理の実行指示を操作者に促す画像を表示する）ことにより、ダイレクト収集処理を実行するか否かを操作者に判断させることができる。
【０１３０】
また、容器位置に回収容器４４ａが配置されている場合にダイレクト収集処理の実行を許可し、容器位置に回収容器４４ａが配置されていない場合にダイレクト収集処理の実行を禁止する（この例では、ダイレクト収集処理の実行を禁止するとともに回収容器４４ａの配置を促す情報を出力する）ことにより、ダイレクト収集処理において包装硬貨投出部４４から投出された包装貨幣を回収容器に確実に回収することができる。
【０１３１】
また、ダイレクト収集処理において包装硬貨投出部４４から払い出された包装硬貨Ｃに関する情報を出力する（例えばダイレクト収集処理の結果を示した画像を表示する）ことにより、ダイレクト収集処理によって包装硬貨投出部４４から払い出された包装硬貨Ｃを確認させることができる。
【０１３２】
また、ダイレクト収集処理において硬貨収納部２３ａにおける硬貨の収納量が終了閾値を下回る場合にダイレクト収集処理を終了させることにより、硬貨収納部２３ａにおける貨幣の収納量に応じてダイレクト収集処理を終了させることができる。
【０１３３】
〔開始閾値および終了閾値の変形例〕
なお、開始閾値は、可変値であってもよい。このように構成することにより、ダイレクト収集処理および自動収集処理の実行開始タイミングを任意に設定することができる。例えば、硬貨処理装置１０内の在高を抑えたい場合や、入金処理の実行頻度が比較的に高い環境下において、開始閾値を比較的に少ない値に設定することができる。
【０１３４】
また、終了閾値は、可変値であってもよい。このように構成することにより、ダイレクト収集処理および自動収集処理の実行終了タイミングを任意に設定することができる。例えば、硬貨処理装置１０内の在高を抑えたい場合や、入金処理の実行頻度が比較的に高い環境下において、終了閾値を比較的に少ない値に設定することができる。
【０１３５】
〔硬貨制御部の変形例１〕
なお、硬貨制御部６０は、操作者（この例では回収権限を有する操作者）による指示の有無に関わらず、硬貨収納部２３ａにおける硬貨の収納量が開始閾値を上回り、且つ、包装硬貨収納ユニット４１の包装硬貨トレイ４１ａおよび包装硬貨一括収納部４２における包装硬貨Ｃの収納量が収納上限閾値に到達している場合に、ダイレクト収集処理が行われるように硬貨処理装置１０の動作を制御するように構成されていてもよい。
【０１３６】
以上のような構成により、包装硬貨収納ユニット４１の包装硬貨トレイ４１ａおよび包装硬貨一括収納部４２の空き容量が不足している場合に、ダイレクト収集処理によって硬貨収納部２３ａの空き容量を増加させることができる。なお、包装硬貨収納ユニット４１の包装硬貨トレイ４１ａ（または包装硬貨一括収納部４２）の空き容量が不足していない場合には、自動収集処理によって硬貨収納部２３ａの空き容量を増加させることができる。このように、包装硬貨収納ユニット４１の包装硬貨トレイ４１ａおよび包装硬貨一括収納部４２の空き容量に応じてダイレクト収集処理と自動収集処理とを適切に行うことができる。
【０１３７】
〔硬貨制御部の変形例２〕
また、硬貨制御部６０は、硬貨収納部２３ａや包装硬貨トレイ４１ａや包装硬貨一括収納部４２の空き容量に関わらず、操作者によるダイレクト収集処理の実行指示がある場合に、ダイレクト収集処理が行われるように硬貨処理装置１０の動作を制御するように構成されていてもよい。
【０１３８】
以上のような構成により、操作者によってダイレクト収集処理の実行が指示されている場合に、ダイレクト収集処理によって貨幣収納部の空き容量を増加させることができる。なお、操作者によってダイレクト収集処理の実行が指示されていない場合には、ダイレクト収集処理は行われない。このように、操作者による指示の有無に応じてダイレクト収集処理を適切に行うことができる。
【０１３９】
（硬貨処理装置の変形例１）
図１４に示すように、硬貨処理装置１０は、クリーニングレバー５２を備えていてもよい。クリーニングレバー５２は、硬貨搬送部２８に設けられる。また、クリーニングレバー５２は、出金識別部３４の清掃とコンベヤ２８ａの搬送規制とを行うように構成されている。この例では、出金識別部３４は、コンベヤ２８ａの前端部の上方に配置されている。クリーニングレバー５２は、可動部５２ａと、基台部５２ｂと、刷毛部５２ｃとを有している。
【０１４０】
可動部５２ａは、基台部５２ｂを作用位置と非作用位置とに移動させることができるように構成されている。作用位置は、出金識別部３４の下方に存在する位置であり、非作用位置は作用位置から離れた位置（この例ではコンベヤ２８ａの前端部から遠ざかる位置）である。この例では、可動部５２ａは、アーム状に形成され、その基端部に設けられた揺動軸５２ｄを支点として揺動するように構成されている。
【０１４１】
基台部５２ｂは、対向部と阻止部とを有し、作用位置において対向部が出金識別部３４と所定の間隔をおいて対向し且つ阻止部がコンベヤ２８ａの前端部へ向けて搬送される硬貨と接触して硬貨の搬送を阻止し、非作用位置において阻止部がコンベヤ２８ａの前端部へ向けて搬送される硬貨と接触しないように構成されている。この例では、基台部５２ｂは、長手方向の一端部がＬ字状に折り曲げられた平板状に形成され、一方の板面（具体的には作用位置において上面となる板面）が対向部となりＬ字状に折り曲げられた長手方向の一端部が阻止部となるように、アーム状に形成された可動部５２ａの先端部（揺動軸５２ｄが設けられた基端部の逆側の端部）に支持されている。
【０１４２】
刷毛部５２ｃは、基台部５２ｂの対向部に設けられ、基台部５２ｂが作用位置に対置されている場合に出金識別部３４と接触するように構成されている。この例では、刷毛部５２ｃは、基台部５２ｂの両板面（具体的には作用位置において上面および下面となる板面）に設けられている。
【０１４３】
以上のような構成により、クリーニングレバー５２は、基台部５２ｂが作用位置に配置される作用状態と、基台部５２ｂが非作用位置に配置される待機状態とに切り換えられるように構成されている。この例では、クリーニングレバー５２は、硬貨制御部６０による制御に応答して作用状態と待機状態とを切り換えるように構成されている。具体的には、クリーニングレバー５２は、硬貨制御部６０による制御に応答してクリーニングレバー５２を作用状態と待機状態とに切り換える駆動機構（例えばソレノイド、図示を省略）によって駆動される。
【０１４４】
クリーニングレバー５２が待機状態から作用状態に切り換えられると、非作用位置から作用位置に移動する基台部５２ｂの対向部に設けられた刷毛部５２ｃによって出金識別部３４が清掃される。また、作用位置に位置する基台部５２ｂの阻止部によって硬貨の搬送が阻止される。一方、クリーニングレバー５２が作用状態から待機状態に切り換えられると、作用位置から非作用位置に移動する基台部５２ｂの対向部に設けられた刷毛部５２ｃによって出金識別部３４が清掃される。また、基台部５２ｂが作用位置から非作用位置に移動することにより、基台部５２ｂの阻止部による硬貨の搬送の阻止が解除される。
【０１４５】
また、この例では、クリーニングレバー５２は、コンベヤ２８ａの前端部へ向けて硬貨が搬送される場合（例えば、出金処理が行われる場合や、自動収集処理およびダイレクト収集処理において大径硬貨を収集する場合など）に待機状態に設定される。なお、出金処理では、硬貨収納ユニット２３の硬貨収納部２３ａに収納された硬貨が硬貨搬送部２８のコンベヤ２８ａに繰り出され、コンベヤ２８ａに繰り出された硬貨がコンベヤ２８ａの前端部へ向けて搬送され、出金識別部３４を通過してコンベヤ２８ａの前端部から出金シュート３５を経由して出金箱２６に導かれて収納される。
【０１４６】
また、この例では、クリーニングレバー５２は、コンベヤ２８ａの前端部へ向けて硬貨が搬送されない場合（例えば、入金処理が行われる場合や、自動収集処理およびダイレクト収集処理において小径硬貨を収集する場合など）に作用状態に設定される。
【０１４７】
以上のように、クリーニングレバー５２を作用状態と待機状態とに切り換えることにより、出金識別部３４の清掃とコンベヤ２８ａの搬送規制とを行うことができる。これにより、出金識別部３４の清掃を行うための機構とコンベヤ２８ａの搬送規制を行うための機構とを個別に設ける場合よりも、硬貨処理装置１０の小型化および低コスト化を実現することができる。
【０１４８】
また、コンベヤ２８ａの前端部へ向けて硬貨が搬送される場合にクリーニングレバー５２を待機状態に設定することにより、コンベヤ２８ａの前端部に搬送される硬貨粉によって刷毛部５２ｃが汚れることを防止することができる。
【０１４９】
（硬貨処理装置の変形例２）
図１５および図１６に示すように、包装部４０における包装硬貨Ｃの生成に用いられる包装ロール体５３（詳しくは、包装ロール体５３と、包装ロール体５３を取り付ける包装ロール体取付部）は、筐体２０内において出金箱２６の後方に配置されていてもよい。このように配置することにより、包装ロール体５３の配置による出金箱２６の配置の制約を緩和することができる。すなわち、筐体２０の前面側から見た場合に出金箱２６と包装ロール体５３とが互いに重複するように出金箱２６と包装ロール体５３を配置することができる。なお、包装ロール体５３は、包装媒体（例えば紙やフィルム）が巻回されて構成されている。
【０１５０】
以上のように、筐体２０内において出金箱２６の後方に包装ロール体５３を配置することにより、硬貨処理装置１０の幅寸法（左右方向の寸法）を抑えることができる。さらに、包装ロール体５３の配置による出金箱２６の配置の制約を緩和することができるので、図１５に示すように、出金箱２６をコンベヤ２８ａの前端部の近傍に配置することができる。これにより、コンベヤ２８ａの前端部から出金箱２６に硬貨を導くための出金シュート３５の長さを短くしたり傾斜を大きくしたりする（または出金シュート３５を省略する）ことができるので、出金シュート３５における硬貨の通過時間（落下時間）を短縮することができ、出金処理に要する時間を短縮することができる。
【０１５１】
また、出金シュート３５の長さを短くしたり傾斜を大きくしたりする（または出金シュート３５を省略する）ことにより、出金シュート３５に硬貨が粘着して残留する可能性を低減することができる。
【０１５２】
さらに、出金シュート３５を省略することにより、出金箱２６を引き出して出金識別部３４の出口（すなわちコンベヤ２８ａの前端部）に操作者が直接アクセスすることができる。これにより、出金識別部３４の出口における硬貨詰まり（所謂ジャム）を容易に解除することができる。
【０１５３】
なお、図１６に示すように、出金箱２６およびその支持機構が筐体２０の前面２０ａに設けられているので、筐体２０の前面２０ａを開放することによって出金箱２６およびその支持機構を前方へ退避させることができる。これにより、包装ロール体５３の交換を行うことができる。
【０１５４】
（硬貨処理装置の変形例３）
図１７および図１８に示すように、硬貨処理装置１０は、硬貨一括収納箱２９を備えていてもよい。硬貨一括収納箱２９は、硬貨を収納するように構成されている。この例では、硬貨一括収納箱２９は、直方体型の箱状に形成され、上方から放出された硬貨を収納するように構成されている。また、硬貨一括収納箱２９は、筐体２０内において硬貨収納ユニット２３の前方に配置されている。そして、硬貨一括収納箱２９は、筐体２０に対して着脱可能に構成され、筐体２０の前面２０ａから引き出し可能となっている。
【０１５５】
なお、図１７および図１８の例では、硬貨一括収納箱２９は、硬貨投入部２１の任意硬貨分岐部２１４において分岐された硬貨を収納するように構成されている。具体的には、図１７および図１８の例では、任意硬貨シュート３２ａの下方には、袋取りシュート３２ｂとダイレクト包装用シュート３２ｃとに加えて、一括収納シュート（図示を省略）が設けられている。一括収納シュートは、任意硬貨シュート３２ａを経由して導かれた硬貨を硬貨一括収納箱２９に導くように構成されている。そして、任意硬貨切換板３２ｄは、任意硬貨シュート３２ａを経由して導かれた硬貨を袋取りシュート３２ｂに導く第１状態とダイレクト包装用シュート３２ｃに導く第２状態と一括収納シュートに導く第３状態とに切り換えられるように構成されている。
【０１５６】
以上のように、筐体２０内において硬貨収納ユニット２３の前方に硬貨一括収納箱２９を配置して、筐体２０の前面２０ａから引き出し可能となるように硬貨一括収納箱２９を構成することにより、硬貨収納ユニット２３にアクセスすることなく硬貨一括収納箱２９を引き出すことができる。
【０１５７】
なお、筐体２０の前面２０ａには、硬貨一括収納箱２９の引き出しを規制するロック機構（図示を省略）が設けられていてもよい。例えば、ロック機構は、硬貨一括収納箱２９の回収時または精査処理時にのみ硬貨一括収納箱２９の引き出しを許可し、それ以外の場合に硬貨一括収納箱２９の引き出しを禁止するように構成されていてもよい。また、ロック機構は、電子式の錠によって構成されていてもよいし、機械式の錠によって構成されていてもよい。
【０１５８】
（硬貨処理装置の変形例４）
図１９に示すように、硬貨処理装置１０において、包装部４０は、３つの包装ローラ４００と、３つのガイド部材（第１ガイド部材４０１と第２ガイド部材４０２と第３ガイド部材４０３）とを有していてもよい。第１ガイド部材４０１と第２ガイド部材４０２と第３ガイド部材４０３は、３つの包装ローラ４００の間に重積された複数枚の硬貨（以下「硬貨集合体」と記載）の外周面に巻回される包装媒体（例えば紙やフィルムなど）を案内するように構成されている。
【０１５９】
また、この例では、第１ガイド部材４０１の中央部（筐体２０の高さ方向（上下方向）の中央部）には、可動スクレーパ部４０１ａが設けられている。可動スクレーパ部４０１ａは、硬貨集合体の外周面に巻回された包装媒体と接触するように硬貨集合体へ向けて突出して硬貨集合体の外周面に巻回された包装媒体の一部を削る切削状態（図１９の実線で示した状態）と、硬貨集合体の外周面に巻回された包装媒体と接触しないように硬貨集合体から離れた位置に配置される収納状態（図１９の二点鎖線で示した状態）とに切り換えられるように構成されている。
【０１６０】
また、包装部４０は、硬貨集合体に巻回された包装媒体の両端部（上下端部）をかしめるように構成された一対のカシメ爪４０４と、一対のカシメ爪４０４を上下方向に移動させる駆動機構（図示を省略）と、一対のカシメ爪４０４の間の距離（上下方向の距離）に基づいて硬貨集合体の厚みを検知する厚み検知センサ（図示を省略）とを有している。
【０１６１】
以上のような構成により、包装部４０は、硬貨集合体に包装媒体を巻回した後に包装媒体の両端部をかしめて包装硬貨Ｃを生成する生成動作と、包装硬貨Ｃの包装媒体（硬貨集合体に巻回された包装媒体）の一部を削りめくる解体動作とを切り換えて行うように構成されている。この例では、包装部４０は、硬貨制御部６０による制御に応答して生成動作と解体動作とを切り換えるように構成されている。
【０１６２】
生成動作では、包装部４０は、可動スクレーパ部４０１ａを収納状態（図１９の二点鎖線に示した状態）に設定し、３つの包装ローラ４００の間に配置された硬貨集合体を正回転方向（図１９の二点鎖線で示した回転方向）に回転させ、その回転中の硬貨集合体の外周面に包装媒体を供給する。これにより、硬貨集合体に包装媒体が巻回される。硬貨集合体に所定量の包装媒体が巻回されると、包装部４０は、図２０の左図に示すように、硬貨集合体に巻回された包装媒体の両端部に一対のカシメ爪４０４をそれぞれ配置し、一対のカシメ爪４０４の間の距離が次第に狭くなるように一対のカシメ爪４０４を移動させる。これにより、硬貨集合体に巻回された包装媒体の両端部がかしめられて包装硬貨Ｃが生成される。
【０１６３】
解体動作では、包装部４０は、可動スクレーパ部４０１ａを切削状態（図１９の実線で示した状態）に設定し、３つの包装ローラ４００の間に配置された包装硬貨Ｃを逆回転方向（図１９の実線で示した回転方向）に回転させる。これにより、図２０の中央部に示すように、包装硬貨Ｃの包装媒体の中央部（上下方向における中央部）に可動スクレーパ部４０１ａが接触して包装媒体の中央部が削られる。そして、図２０の右図に示すように、包装硬貨Ｃの包装媒体の一部が削りめくられる。
【０１６４】
次に、図２０を参照して、硬貨制御部６０による包装部４０の制御について詳しく説明する。まず、硬貨制御部６０は、包装部４０に生成動作を行わせる。これにより、図２０の左図に示すように、硬貨集合体に包装媒体が巻回され、一対のカシメ爪４０４によって硬貨集合体に巻回された包装媒体の両端部がかしめられる。次に、硬貨制御部６０は、厚み検知センサ（図示を省略）によって検知された硬貨集合体の厚みが予め定められた厚み許容範囲内であるか否かを判定する。なお、厚み許容範囲は、硬貨集合体を構成する硬貨の枚数が所定枚数（例えば５０枚）となっているとみなすことができる硬貨集合体の厚みの範囲に設定されている。
【０１６５】
硬貨集合体の厚みが厚み許容範囲内である場合、硬貨制御部６０は、生成動作によって生成された包装硬貨Ｃが包装硬貨搬送部４５に放出されるように包装部４０を制御する。そして、硬貨制御部６０は、包装部４０に次の生成動作を行わせる。
【０１６６】
一方、硬貨集合体の厚みが厚み許容範囲外である場合、硬貨制御部６０は、包装部４０に解体動作を行わせる。これにより、図２０の中央図に示すように、逆回転方向に回転中の包装硬貨Ｃの包装媒体の中央部に可動スクレーパ部４０１ａが接触して包装媒体の中央部が削られ、図２０の右図に示すように、包装硬貨Ｃの包装媒体の中央部が削りめくられる。そして、硬貨制御部６０は、解体動作によって包装媒体の中央部が削りめくられた包装硬貨Ｃが包装硬貨搬送部４５に放出されるように包装部４０を制御する。なお、包装媒体の中央部が削りめくられて包装硬貨搬送部４５に放出された包装硬貨Ｃは、包装硬貨投出部４４から投出される（または包装硬貨一括収納部４２に収納される）。そして、硬貨制御部６０は、包装部４０に次の生成動作を行わせる。
【０１６７】
以上のように、硬貨集合体の厚みが厚み許容範囲外である場合に包装部４０に解体動作を行わせることにより、硬貨の枚数が所定枚数となっていないとみなせる包装硬貨（すなわち過不足検知で異常と判定された包装硬貨）の包装媒体の中央部を削りめくることができる。これにより、過不足検知で異常と判定された包装硬貨Ｃを容易に発見することができるので、正常な包装硬貨Ｃとして誤って取り扱われる可能性を低減することができる。また、過不足検知で異常と判定された包装硬貨Ｃの包装媒体の中央部を削りめくることにより、包装硬貨Ｃの包装媒体を容易にはがすことができ、包装硬貨Ｃを容易にばらすことができる。
【０１６８】
（硬貨処理装置のその他の変形例）
なお、以上の説明では、ダイレクト収集処理において包装硬貨Ｃが包装硬貨投出部４４に搬送されて包装硬貨投出部４４から投出される場合を例に挙げたが、ダイレクト収集処理において包装硬貨Ｃが包装硬貨出金部４３に搬送されて包装硬貨出金部４３に集積されるようになっていてもよい。このようにしてダイレクト収集処理が行われる場合も、包装硬貨Ｃを硬貨処理装置１０の外部へ払い出すことができる。
【０１６９】
また、硬貨制御部６０は、操作者による指示に応じてダイレクト収集処理における包装硬貨Ｃの搬送先を包装硬貨出金部４３と包装硬貨投出部４４とに切り換えるように構成されていてもよい。
【０１７０】
また、以上の説明では、硬貨制御部６０が自動収集処理（またはダイレクト収集処理）において硬貨収納部２３ａにおける硬貨の収納量が予め定められた終了閾値を下回ると自動収集処理（またはダイレクト収集処理）が終了するように硬貨処理装置１０の動作を制御する場合を例に挙げたが、硬貨制御部６０は、自動収集処理（またはダイレクト収集処理）において包装部４０によって生成された包装硬貨Ｃの本数が予め定められた生成終了閾値に到達すると、自動収集処理（またはダイレクト収集処理）が終了するように硬貨処理装置１０の動作を制御してもよい。なお、生成終了閾値は、包装部４０における包装硬貨Ｃの生成によって硬貨収納部２３ａの空き容量が確保されたとみなすことができる包装硬貨Ｃの本数（包装部４０において生成される包装硬貨Ｃの本数）に設定されている。
【０１７１】
（実施形態２）
実施形態２による貨幣処理システム１は、図１〜図７に示した硬貨処理装置１０に代えて、図２１および図２２に示した紙幣処理装置７０を備えている。
【０１７２】
〔紙幣処理装置〕
図２１は、実施形態２における紙幣処理装置７０の構成を例示している。紙幣処理装置７０は、紙幣（貨幣の一例）を処理するように構成されている。具体的には、紙幣処理装置７０は、紙幣の入出金処理，紙幣束（包装貨幣の一例）の生成処理，紙幣束の出金処理などを行うように構成されている。なお、紙幣束は、所定枚数（例えば１００枚）の紙幣によって構成され、これらの所定枚数の紙幣は、帯封紙で帯封されている。
【０１７３】
この例では、紙幣処理装置７０は、筐体８０を備えている。筐体８０は、直方体型の箱状に形成されている。また、紙幣処理装置７０は、紙幣投入部８１と、紙幣一時保留部８２と、紙幣収納部８３と、紙幣投出部８４と、出金リジェクト部８５と、紙幣搬送部８６と、紙幣識別部８７と、表裏反転部８８と、紙幣束生成部９０と、１つまたは複数（この例では４つ）の紙幣束収納部９１と、紙幣束投出部９２と、紙幣束搬送部９３と、紙幣束識別部９４とを備えている。これらの構成部材は、筐体８０に収納されている。
【０１７４】
〈紙幣投入部〉
紙幣投入部８１は、紙幣が投入されるように構成されている。この例では、紙幣投入部８１は、紙幣処理装置７０の前方（図２１では左方）に開口する投入口を有し、この投入口を介して紙幣が投入されるように構成されている。また、紙幣投入部８１は、複数枚の紙幣を受け入れ可能に構成されている。この例では、紙幣投入部８１には、紙幣投入部８１に投入された複数枚の紙幣を１枚ずつ紙幣搬送部８６に繰り出す繰出部８１ａが設けられている。
【０１７５】
〈紙幣一時保留部〉
紙幣一時保留部８２は、紙幣（例えば入金処理において入金された紙幣）を一時的に保留（収納）するように構成されている。この例では、紙幣一時保留部８２は、複数枚の紙幣の厚さ方向が上下方向を向き且つ複数枚の紙幣が上下方向に一列に並ぶように複数枚の紙幣を収納する。また、紙幣一時保留部８２は、紙幣搬送部８６との間において紙幣の受け渡しを行うように構成されている。
【０１７６】
この例では、紙幣一時保留部８２には、昇降ステージ８２ａと紙幣繰出部８２ｂとが設けられている。昇降ステージ８２ａは、紙幣が載置されて上下に昇降するように構成されている。紙幣繰出部８２ｂは、紙幣搬送部８６から紙幣一時保留部８２に紙幣を１枚ずつ繰り入れ、紙幣一時保留部８２から紙幣搬送部８６に紙幣を１枚ずつ繰り出すように構成されている。
【０１７７】
〈紙幣収納部（貨幣収納部）〉
紙幣収納部８３は、紙幣を収納するように構成されている。この例では、紙幣収納部８３は、複数枚の紙幣の厚さ方向が上下方向を向き且つ複数枚の紙幣が上下方向に一列に並ぶように複数枚の紙幣を収納する。また、紙幣搬送部８６との間において紙幣の受け渡しを行うように構成されている。
【０１７８】
この例では、紙幣収納部８３には、昇降ステージ８３ａと紙幣繰出部８３ｂとが設けられている。昇降ステージ８３ａは、紙幣が載置されて上下に昇降するように構成されている。紙幣繰出部８３ｂは、紙幣搬送部８６から紙幣収納部８３に紙幣を１枚ずつ繰り入れ、紙幣収納部８３から紙幣搬送部８６に紙幣を１枚ずつ繰り出すように構成されている。
【０１７９】
なお、この例では、紙幣収納部８３は、金種別収納部を構成している。具体的には、紙幣収納部８３は、その紙幣収納部８３に予め割り当てられた金種の紙幣を収納するように構成されている。なお、紙幣収納部８３は、異なる金種の紙幣を混合した状態で収納するように構成されていてもよい。
【０１８０】
〈紙幣投出部〉
紙幣投出部８４は、紙幣を投出するように構成されている。この例では、紙幣投出部８４は、複数枚の紙幣を保持可能に構成されている。また、紙幣投出部８４は、紙幣処理装置７０の前方（図２では左方）に開口する投出口を有し、この投出口を介して紙幣が投出されるように構成されている。また、この例では、紙幣投出部８４の投出口には、シャッタ８４ａが設けられている。なお、紙幣投出部８４は、紙幣の入金処理において入金リジェクト部（入金処理において識別できない紙幣である入金リジェクト紙幣を返却する部分）として利用されてもよい。
【０１８１】
〈出金リジェクト部〉
出金リジェクト部８５は、紙幣の出金処理において出金すべきではないと判定される紙幣（出金リジェクト紙幣）を集積するように構成されている。この例では、出金リジェクト部８５は、複数枚のリジェクト紙幣を保持可能に構成されている。また、出金リジェクト部８５は、所定の権限を有する操作者が操作すると紙幣処理装置７０の前方（図２１では左方）に引き出せるように構成されている。
【０１８２】
〈紙幣搬送部（貨幣搬送部）〉
紙幣搬送部８６は、紙幣投入部８１と紙幣投出部８４と出金リジェクト部８５と紙幣一時保留部８２と紙幣収納部８３と紙幣束生成部９０とに接続されて紙幣を搬送するように構成されている。例えば、紙幣搬送部８６は、紙幣収納部８３（または、紙幣投入部８１，紙幣一時保留部８２）から繰り出された紙幣を紙幣束生成部９０に搬送する。なお、紙幣搬送部８６は、例えば、紙幣を搬送するための搬送ベルト，搬送ベルトを駆動するための駆動機構，紙幣の搬送を案内するためのガイド機構，紙幣の搬送方向を切り換えるための分岐機構などによって構成されている。
【０１８３】
〈紙幣識別部〉
紙幣識別部８７は、紙幣搬送部８６によって搬送される紙幣に対して識別処理と計数処理を行うように構成されている。識別処理では、紙幣識別部８７は、紙幣の金種，真偽，正損，新旧，搬送状態，表裏などを識別する。計数処理では、紙幣識別部８７は、紙幣の枚数を種別毎に計数する。例えば、紙幣識別部８７は、ラインセンサ，磁気センサ，画像センサなどの各種センサ，ＣＰＵなどの演算処理部，演算処理部を動作させるためのプログラムや情報を記憶するメモリなどの記憶部などによって構成されている。
【０１８４】
〈表裏反転部〉
表裏反転部８８は、紙幣搬送部８６によって搬送される紙幣の表裏を選択的に反転させるように構成されている。具体的には、表裏反転部８８は、紙幣搬送部８６によって搬送される紙幣の表裏に関する情報（例えば紙幣識別部８７による紙幣の表裏の識別結果）に基づいて、紙幣の表裏の向きが予め定められた向きと一致している場合に、その紙幣を反転させずに通過させ、紙幣の表裏の向きが予め定められた向きと一致していない場合に、その紙幣を反転させて通過させる。
【０１８５】
〈紙幣束生成部（包装貨幣生成部）〉
紙幣束生成部９０は、紙幣束を生成するように構成されている。この例では、紙幣束生成部９０は、１つまたは複数（この例では２つ）の紙幣集積部９０ａと、帯封部９０ｂと、アーム機構９０ｃとを有している。紙幣集積部９０ａは、所定枚数の紙幣を集積するように構成されている。帯封部９０ｂは、所定枚数の紙幣の集合体に帯封紙を巻き付けて紙幣束を生成するように構成されている。アーム機構９０ｃは、上下一対のアーム部を有し、紙幣集積部９０ａに集積された所定枚数の紙幣の集合体をアーム部により保持して帯封部９０ｂに移動させるように構成されている。また、アーム機構９０ｃは、帯封部９０ｂによって生成された紙幣束をアーム部により保持して紙幣束搬送部９３に移動させるように構成されている。
【０１８６】
紙幣束生成部９０に搬送された紙幣は、紙幣集積部９０ａに集積される。そして、紙幣集積部９０ａに所定枚数の紙幣が集積されると、アーム機構９０ｃは、紙幣集積部９０ａから帯封部９０ｂに所定枚数の紙幣の集合体を移動させる。帯封部９０ｂは、所定枚数の紙幣の集合体に帯封紙を巻き付けて紙幣束を生成する。帯封部９０ｂにおいて紙幣束が生成されると、アーム機構９０ｃは、帯封部９０ｂから紙幣束搬送部９３に紙幣束を移動させる。このようにして、紙幣束生成部９０において生成された紙幣束が紙幣束搬送部９３に繰り出される。
【０１８７】
なお、この例では、紙幣束生成部９０は、２つの紙幣集積部９０ａに所定枚数の紙幣が交互に集積されるように構成されていてもよい。そして、アーム機構９０ｃは、一方の紙幣集積部９０ａに集積された所定枚数の紙幣を帯封部９０ｂに移動させる動作と、他方の紙幣集積部９０ａに集積された所定枚数の紙幣を帯封部９０ｂに移動させる動作とを交互に行うように構成されていてもよい。
【０１８８】
〈紙幣束収納部（包装貨幣収納部）〉
紙幣束収納部９１は、紙幣束を収納するように構成されている。この例では、紙幣束収納部９１は、複数の紙幣束の束厚方向が上下方向を向き且つ複数の紙幣束が上下方向に一列に並ぶように複数の紙幣束を収納する。また、紙幣束収納部９１は、紙幣束搬送部９３との間において紙幣束の受け渡しを行うように構成されている。この例では、紙幣束収納部９１には、昇降ステージ９１ａが設けられている。昇降ステージ９１ａは、紙幣束が載置されて昇降するように構成されている。
【０１８９】
〈紙幣束投出部（包装貨幣払出部）〉
紙幣束投出部９２は、紙幣束を投出するように構成されている。この例では、紙幣束投出部９２は、紙幣処理装置７０の前方（図２では左方）に開口する紙幣束投出口を有し、この紙幣束投出口を介して紙幣束が投出されるように構成されている。また、この例では、紙幣束投出部９２の紙幣束投出口には、シャッタ９２ａが設けられている。
【０１９０】
〈紙幣束搬送部（包装貨幣搬送部）〉
紙幣束搬送部９３は、紙幣束生成部９０と紙幣束投出部９２と紙幣束収納部９１とに接続されて紙幣束を搬送するように構成されている。例えば、紙幣束搬送部９３は、紙幣束生成部９０から繰り出された紙幣束を紙幣束収納部９１に搬送する。
【０１９１】
この例では、紙幣束搬送部９３は、昇降通路９３ａと、昇降ステージ９３ｂと、搬送ベルト９３ｃとを有している。昇降通路９３ａは、紙幣束を上下方向に搬送するために設けられている。昇降ステージ９３ｂは、昇降通路９３ａに設けられている。そして、昇降ステージ９３ｂは、紙幣束が載置されて上下に昇降するように構成されている。搬送ベルト９３ｃは、紙幣束を水平方向に搬送するように構成されている。具体的には、搬送ベルト９３ｃには、紙幣束に搬送ベルト９３ｃの搬送力を伝達するための突起９３ｄが設けられており、搬送ベルト９３ｃが駆動すると搬送ベルト９３ｃの突起９３ｄが紙幣束に当接して搬送ベルト９３ｃとともに紙幣束が移動する。
【０１９２】
紙幣束生成部９０から紙幣束搬送部９３の昇降通路９３ａに繰り出された紙幣束は、昇降通路９３ａの下端位置に停止している昇降ステージ９３ｂに載置され、昇降ステージ９３ｂによって上下方向に搬送される。
【０１９３】
昇降ステージ９３ｂに載置された紙幣束を紙幣束投出部９２から投出する場合、昇降ステージ９３ｂが昇降通路９３ａの中間位置（具体的には紙幣束投出部９２の下端に対応する位置）に停止し、紙幣束投出部９２のシャッタ９２ａが開状態となる。これにより、操作者は、紙幣束投出部９２から紙幣束を取り出すことができる。
【０１９４】
また、昇降ステージ９３ｂに載置された紙幣束を紙幣束収納部９１に収納する場合、昇降ステージ９３ｂが昇降通路９３ａの上端位置に移動し、昇降ステージ９３ｂに載置された紙幣束が搬送ベルト９３ｃに引き渡される。搬送ベルト９３ｃに引き渡された紙幣束は、搬送ベルト９３ｃによって紙幣束収納部９１（その紙幣束を収納する予定となっている紙幣束収納部９１）の上方に搬送され、紙幣束収納部９１の上端部に設けられた開口から紙幣束収納部９１の内部に投入されて紙幣束収納部９１に設けられた昇降ステージ９１ａ上（または昇降ステージ９１ａ上に既に集積されている紙幣束上）に載置される。これにより、紙幣束が紙幣束収納部９１に収納される。
【０１９５】
また、紙幣束収納部９１に収納された紙幣束を紙幣束投出部９２から投出する場合、紙幣束収納部９１において昇降ステージ９１ａが上昇し、昇降ステージ９１ａに載置された最上段の紙幣束が搬送ベルト９３ｃに引き渡される。搬送ベルト９３ｃに引き渡された紙幣束は、搬送ベルト９３ｃによって昇降通路９３ａの昇降ステージ９３ｂに搬送される。そして、昇降ステージ９３ｂが中間位置まで降下すると、紙幣束投出部９２のシャッタ９２ａが開状態となる。これにより、操作者は、紙幣束投出部９２から紙幣束を取り出すことができる。
【０１９６】
〈紙幣束識別部〉
紙幣束識別部９４は、紙幣束搬送部９３によって搬送される紙幣束に対して識別処理と計数処理とを行うように構成されている。識別処理では、紙幣束識別部９４は、紙幣の金種や束生成状態などを識別する。計数処理では、紙幣束識別部９４は、紙幣の枚数を種別毎に計数する。例えば、紙幣束識別部９４は、搬送される紙幣束の厚み方向の端面（この例では下面）の画像を取得する画像センサ、ＣＰＵなどの演算処理部、演算処理部を動作させるためのプログラムや情報を記憶するメモリなどの記憶部などによって構成されている。
【０１９７】
この例では、紙幣束識別部９４は、紙幣束収納部９１と昇降通路９３ａとの間に設けられ、搬送ベルト９３ｃによって搬送される紙幣束に対して識別処理と計数処理とを行うように構成されている。
【０１９８】
〈紙幣制御部（制御部）〉
また、紙幣処理装置７０は、紙幣制御部１００を備えている。図２１に示すように、紙幣制御部１００は、紙幣処理装置７０の各部（具体的には紙幣投入部８１と紙幣一時保留部８２と紙幣収納部８３と紙幣投出部８４と出金リジェクト部８５と紙幣搬送部８６と紙幣識別部８７と表裏反転部８８と紙幣束生成部９０と紙幣束収納部９１と紙幣束投出部９２と紙幣束搬送部９３と紙幣束識別部９４）と信号を伝送可能に接続されている。また、紙幣制御部１００は、操作表示部１１やプリンタ１２や記憶部１３と信号を伝送可能に接続されている。さらに、紙幣制御部１００は、通信部１４を経由して外部機器２と信号を伝送可能に接続されている。なお、紙幣処理装置７０の各部には、紙幣や紙幣束の通過を検出する通過センサなどの各種センサが設けられている。
【０１９９】
そして、紙幣制御部１００は、紙幣処理装置７０において各種の処理が行われるように、外部機器２や操作表示部１１や紙幣処理装置７０の各部（具体的には各部の構成部品や各部に設けられた各種センサなど）からの信号や情報に基づいて、紙幣処理装置７０の各部を制御するように構成されている。例えば、紙幣制御部１００は、ＣＰＵなどの演算処理部，演算処理部を動作させるためのプログラムや情報を記憶するメモリなどの記憶部などによって構成されている。
【０２００】
この例では、紙幣制御部１００は、実施形態１の硬貨制御部６０と同様の動作を行うように構成されている。例えば、紙幣制御部１００は、実施形態１の硬貨制御部６０と同様に、入金処理と自動収集処理とダイレクト収集処理とが行われるように、紙幣処理装置７０の各部を制御して紙幣処理装置７０の動作を制御する。
【０２０１】
〈入金処理〉
紙幣制御部１００は、操作者による入金処理の実行指示がある場合に、入金処理が行われるように紙幣処理装置７０の動作を制御する。
【０２０２】
入金処理では、紙幣投入部８１に投入された紙幣が紙幣識別部８７において識別されて複数の紙幣収納部８３に金種別に収納される。
【０２０３】
具体的には、入金処理では、紙幣投入部８１に投入された紙幣は、紙幣識別部８７において識別されて紙幣一時保留部８２に一時的に保留される。なお、紙幣識別部８７において識別することができない紙幣は、紙幣投出部８４に搬送される。その後、操作者による承認操作（入金を承認するための操作）が操作表示部１１に与えられると、紙幣一時保留部８２一時的に保留されている紙幣は、紙幣識別部８７における識別の結果に応じて複数の紙幣収納部８３にそれぞれ搬送される。
【０２０４】
〈自動収集処理〉
また、紙幣制御部１００は、紙幣収納部８３における貨幣の収納量が予め定められた開始閾値を上回り、且つ、紙幣束収納部９１における紙幣束の収納量が予め定められた収納上限閾値を下回る場合に、自動収集処理が行われるように紙幣処理装置７０の動作を制御する。
【０２０５】
自動収集処理では、紙幣収納部８３に収納された紙幣が紙幣束生成部９０に搬送されて紙幣束生成部９０において紙幣を用いて紙幣束が生成され、その紙幣束が紙幣束収納部９１に搬送されて紙幣束収納部９１に収納される。
【０２０６】
具体的には、自動収集処理では、該当する紙幣収納部８３（空き容量が不足している紙幣収納部８３）に収納されている紙幣は、紙幣束生成部９０に搬送される。紙幣束生成部９０において所定枚数の紙幣が集積されると、その所定枚数の紙幣が帯封されて紙幣束が生成される。紙幣束生成部９０において生成された紙幣束は、該当する紙幣束収納部９１（空き容量が不足している紙幣収納部８３に収納される紙幣と同一の金種の紙幣束が収納される紙幣束収納部９１）に搬送されて収納される。
【０２０７】
また、紙幣制御部１００は、自動収集処理において紙幣収納部８３における紙幣の収納量が予め定められた終了閾値を下回ると、自動収集処理が終了するように紙幣処理装置７０の動作を制御する。
【０２０８】
なお、自動収集処理における開始閾値および終了閾値は、複数の紙幣収納部８３の各々に対して個別に設定されている。また、自動収集処理における収納上限閾値は、複数の紙幣束収納部９１の各々に対して個別に設定されている。
【０２０９】
〈ダイレクト収集処理〉
また、紙幣制御部１００は、所定条件が成立する場合に、ダイレクト収集処理が行われるように紙幣処理装置７０の動作を制御する。この例では、所定条件は、紙幣収納部８３における紙幣の収納量が予め定められた開始閾値を上回り、且つ、紙幣束収納部９１における紙幣束の収納量が予め定められた収納上限閾値に到達しており、且つ、操作者によるダイレクト収集処理の実行指示があるという条件である。
【０２１０】
すなわち、この例では、紙幣制御部１００は、紙幣収納部８３における紙幣の収納量が開始閾値を上回り、且つ、紙幣束収納部における紙幣束の収納量が収納上限閾値に到達しており、且つ、操作者（この例では回収権限を有する操作者）によるダイレクト収集処理の実行指示がある場合に、ダイレクト収集処理が行われるように紙幣処理装置７０の動作を制御する。
【０２１１】
ダイレクト収集処理では、紙幣収納部８３に収納された紙幣が紙幣束生成部９０に搬送されて紙幣束生成部９０において紙幣を用いて紙幣束が生成され、その紙幣束が紙幣束投出部９２に搬送されて紙幣束投出部９２から払い出される。
【０２１２】
具体的には、ダイレクト収集処理では、該当する紙幣収納部８３（空き容量が不足している紙幣収納部８３）に収納されている紙幣は、紙幣束生成部９０に搬送される。紙幣束生成部９０において所定枚数の紙幣が集積されると、その所定枚数の紙幣が帯封されて紙幣束が生成される。紙幣束生成部９０において生成された紙幣束は、紙幣束投出部９２に搬送されて投出される。
【０２１３】
また、紙幣制御部１００は、ダイレクト収集処理において紙幣収納部８３における紙幣の収納量が予め定められた終了閾値を下回ると、ダイレクト収集処理が終了するように紙幣処理装置７０の動作を制御する。
【０２１４】
なお、ダイレクト収集処理における開始閾値および終了閾値は、複数の紙幣収納部８３の各々に対して個別に設定されている。また、ダイレクト収集処理における収納上限閾値は、複数の紙幣束収納部９１各々に対して個別に設定されている。また、ダイレクト収集処理における開始閾値と終了閾値と収納上限閾値は、自動収集処理における開始閾値と終了閾値と収納上限閾値と同一であってもよい。
【０２１５】
〈ダイレクト収集処理の案内表示〉
また、紙幣制御部１００は、紙幣収納部８３における紙幣の収納量が開始閾値を上回り、且つ、紙幣束収納部９１における紙幣束の収納量が収納上限閾値に到達している場合に、ダイレクト収集処理の実行指示を操作者に促すための情報を出力する。例えば、紙幣制御部１００は、ダイレクト収集処理の実行指示を操作者に促すための画像（ダイレクト収集処理の案内画像）を操作表示部１１に表示させる。なお、この例では、紙幣制御部１００は、回収権限を有する操作者がログインしている場合に、ダイレクト収集処理の案内画像を操作表示部１１に表示させる。
【０２１６】
〈ダイレクト収集処理の結果表示〉
また、紙幣制御部１００は、ダイレクト収集処理において紙幣束投出部９２から払い出された紙幣束に関する情報を出力する。例えば、紙幣制御部１００は、紙幣束投出部９２から払い出された紙幣束の金種や束数を示した画像を操作表示部１１に表示させる。さらに、硬貨制御部６０は、各種情報（例えば、ダイレクト収集処理において払い出された紙幣束の金種別束数や合計金額，処理日時，操作者ＩＤなどの情報）が記載された回収レシートをプリンタ１２に発行させる。この回収レシートは、回収された紙幣束に添付されて金庫等に保管される。
【０２１７】
〔紙幣制御部の変形例１〕
なお、紙幣制御部１００は、操作者（この例では回収権限を有する操作者）による指示の有無に関わらず、紙幣収納部８３における紙幣の収納量が開始閾値を上回り、且つ、紙幣束収納部９１における紙幣束の収納量が収納上限閾値に到達している場合に、ダイレクト収集処理が行われるように紙幣処理装置７０の動作を制御するように構成されていてもよい。
【０２１８】
〔紙幣制御部の変形例２〕
また、紙幣制御部１００は、紙幣収納部８３や紙幣束収納部９１の空き容量に関わらず、操作者（この例では回収権限を有する操作者）によるダイレクト収集処理の実行指示がある場合に、ダイレクト収集処理が行われるように紙幣処理装置７０の動作を制御するように構成されていてもよい。
【０２１９】
〔実施形態２による効果〕
以上のように、実施形態２の紙幣処理装置７０においても、実施形態１の硬貨処理装置１０と同様の効果を得ることができる。例えば、ダイレクト収集処理を行うことにより、紙幣収納部８３における紙幣の収納量を減少させて紙幣収納部８３の空き容量を増加させることができる。これにより、紙幣束収納部９１の空き容量に依存することなく紙幣収納部８３の空き容量を確保することができる。
【０２２０】
なお、以上の説明では、紙幣制御部１００が自動収集処理（またはダイレクト収集処理）において紙幣収納部８３における紙幣の収納量が予め定められた終了閾値を下回ると自動収集処理（またはダイレクト収集処理）が終了するように紙幣処理装置７０の動作を制御する場合を例に挙げたが、紙幣制御部１００は、自動収集処理（またはダイレクト収集処理）において紙幣束生成部９０によって生成された紙幣束の束数が予め定められた生成終了閾値に到達すると、自動収集処理（またはダイレクト収集処理）が終了するように紙幣処理装置７０の動作を制御するように構成されていてもよい。なお、生成終了閾値は、紙幣束生成部９０における紙幣束の生成によって紙幣収納部８３の空き容量が確保されたとみなすことができる紙幣束の束数（紙幣束生成部９０において生成される紙幣束の束数）に設定されている。
【０２２１】
（その他の実施形態）
また、以上の説明では、硬貨制御部６０（または紙幣制御部１００）が各種の画像を操作表示部１１に表示させる場合を例に挙げたが、硬貨制御部６０（または紙幣制御部１００）は、操作表示部１１の代わりに（または操作表示部１１とともに）各種の画像を外部機器２に表示させるように構成されていてもよい。
【０２２２】
また、以上の実施形態を適宜組み合わせて実施してもよい。以上の実施形態は、本質的に好ましい例示であって、ここに開示する技術、その適用物、あるいはその用途の範囲を制限することを意図するものではない。
【産業上の利用可能性】
【０２２３】
以上説明したように、ここに開示する技術は、硬貨処理装置や紙幣処理装置などの貨幣処理装置に有用である。
【符号の説明】
【０２２４】
１            貨幣処理システム
２            外部機器（操作部/表示部）
１０          硬貨処理装置（貨幣処理装置）
１１          表示操作部（操作部/表示部）
１２          プリンタ
２０          筐体
２１          硬貨投入部
２２          硬貨一時保留部
２３          硬貨収納ユニット
２３ａ        硬貨収納部（貨幣収納部）
２４          入金リジェクト部
２５          返却箱
２６          出金箱
２７          回収部
２８          硬貨搬送部（貨幣搬送部）
２９          硬貨一括収納箱
３０          硬貨識別部
４０          包装部（包装貨幣生成部）
４１          包装硬貨収納ユニット
４１ａ        包装硬貨トレイ（包装貨幣収納部）
４２          包装硬貨一括収納部（包装貨幣収納部）
４３          包装硬貨出金部
４４          包装硬貨投出部（包装貨幣払出部）
４５          包装硬貨搬送部（包装貨幣搬送部）
５２          クリーニングレバー
６０          硬貨制御部（制御部）
６１          回収容器センサ
７０          紙幣処理装置
８０          筐体
８１          紙幣投入部
８２          紙幣一時保留部
８３          紙幣収納部（貨幣収納部）
８４          紙幣投出部
８５          出金リジェクト部
８６          紙幣搬送部（貨幣搬送部）
８７          紙幣識別部
８８          表裏反転部
９０          紙幣束生成部（包装貨幣生成部）
９１          紙幣束収納部（包装貨幣収納部）
９２          紙幣束投出部（包装貨幣払出部）
９３          紙幣束搬送部（包装貨幣搬送部）
９４          紙幣束識別部
【図１】
2018092253.tif 000003
【図２】
2018092253.tif 000004
【図３】
2018092253.tif 000005
【図４】
2018092253.tif 000006
【図５】
2018092253.tif 000007
【図６】
2018092253.tif 000008
【図７】
2018092253.tif 000009
【図８】
2018092253.tif 000010
【図９】
2018092253.tif 000011
【図１０】
2018092253.tif 000012
【図１１】
2018092253.tif 000013
【図１２】
2018092253.tif 000014
【図１３】
2018092253.tif 000015
【図１４】
2018092253.tif 000016
【図１５】
2018092253.tif 000017
【図１６】
2018092253.tif 000018
【図１７】
2018092253.tif 000019
【図１８】
2018092253.tif 000020
【図１９】
2018092253.tif 000021
【図２０】
2018092253.tif 000022
【図２１】
2018092253.tif 000023
【図２２】
2018092253.tif 000024